(57)【要約】  モニタ上のタッチされる箇所に対応する画像が隠れずに確認しながら撮像を行うこと。  撮像装置は、表示部と、タッチパネルと、枠表示制御部と、撮像制御部とを含む。前記枠表示制御部は、前記タッチパネルに対して操作部位が近接しようとすると、前記表示部にフォーカス用の枠を表示すると共に、前記タッチパネルに近接しようとする前記操作部位の移動に追従して前記フォーカス用の枠を移動する。前記撮像制御部は、撮影指示を受けて前記フォーカス用の枠内の前記被写体に対してフォーカスを実行して撮像を行う。
2013089190.tif 000002
【特許請求の範囲】
【請求項１】
動画像又は静止画像を表示する表示部と、
前記表示部に設けられたタッチパネルと、
前記タッチパネルに対して操作部位が近接しようとすると、前記表示部にフォーカス用の枠を表示すると共に、前記タッチパネルに近接しようとする前記操作部位の移動に追従して前記フォーカス用の枠を移動する枠表示制御部と、
撮影指示を受けて前記フォーカス用の枠内の前記被写体に対してフォーカスを実行して撮像を行う撮像制御部と、
を具備することを特徴とする撮像装置。
【請求項２】
被写体を撮像する撮像部と、
前記タッチパネルに対して操作部位が近接しようとする又は接触したか否かを判定するタッチパネル制御部と、
前記フォーカス用の枠内の前記被写体に対してフォーカスを実行するフォーカス制御部と、
を具備し、
前記表示部は、前記撮像部により撮像された前記動画像又は前記静止画像を表示し、
前記枠表示制御部は、前記操作部位が前記タッチパネルに前記近接しようとする状態で、前記表示部にフォーカス用の枠を表示し、かつ前記操作部位の移動に追従して前記フォーカス用の枠を移動し、
前記撮像制御部は、前記撮像部により撮像を行う、
ことを特徴とする請求項１記載の撮像装置。
【請求項３】
前記表示部は、表示画面を含み、
前記タッチパネルは、前記表示画面上に設けられ、
前記枠表示制御部は、前記表示部の前記表示画面上における前記タッチパネルに対して前記操作部位が近接しようとする部位に対応する座標位置に前記フォーカス用の枠を表示する、
ことを特徴とする請求項１記載の撮像装置。
【請求項４】
前記操作部位が前記タッチパネルに対して傾斜する方向から近接して接触する場合、
前記タッチパネル制御部は、前記傾斜の角度に基づいて前記操作部位が前記タッチパネルに接触しようとする部位の位置を求め、この部位の位置に対応する前記表示画面上に前記フォーカス用の枠を表示する、
ことを特徴とする請求項３記載の撮像装置。
【請求項５】
前記枠表示制御部は、前記近接の状態にある前記操作部位の移動に追従して前記フォーカス用の枠を前記表示部の前記表示画面上で移動することを特徴とする請求項１記載の撮像装置。
【請求項６】
前記枠表示制御部は、前記操作部位の移動速度に応じた速度及び移動方向に応じた方向で前記フォーカス用の枠を移動することを特徴とする請求項５記載の撮像装置。
【請求項７】
前記枠表示制御部は、前記操作部位と前記タッチパネルとの距離に応じて前記フォーカス用の枠のサイズを縮小・拡大することを特徴とする請求項６記載の撮像装置。
【請求項８】
前記枠表示制御部は、前記操作部位と前記タッチパネルと距離が短くなるに従って前記フォーカス用の枠のサイズを縮小することを特徴とする請求項７記載の撮像装置。
【請求項９】
前記フォーカス制御部は、前記枠表示制御部により前記フォーカス用の枠の移動中に前記フォーカスの実行を行わず、前記操作部位が停止すると、前記被写体に対するフォーカスを実行することを特徴とする請求項１記載の撮像装置。
【請求項１０】
前記撮像制御部は、前記操作部位の前記タッチパネルに対する接触を検出すると、当該接触の検出時に前記撮像部により前記被写体の撮像動作を行うことを特徴とする請求項１記載の撮像装置。
【請求項１１】
前記フォーカス用の枠内に前記被写体の顔部位が存在するか否かを検出する顔検出部を含み、
前記枠表示制御部は、前記顔検出部により検出された前記顔部位に前記フォーカス用の枠の表示位置を修正する、
ことを特徴とする請求項１記載の撮像装置。
【請求項１２】
前記タッチパネル制御部は、前記タッチパネルに対して前記操作部位が近接する距離に応じた複数のタッチ近接範囲を予め設定し、前記操作部位が前記複数のタッチ近接範囲のうちいずれの前記タッチ近接範囲に入っているのかを判定し、
前記枠表示制御部は、前記タッチパネル制御部の判定の結果、前記操作部位が前記タッチパネルに対して前記複数のタッチ近接範囲のうち前記タッチパネルから遠い側の前記タッチ近接範囲内に入ると、前記フォーカス用の枠を前記表示部の表示画面上に表示する、
ことを特徴とする請求項１記載の撮像装置。
【請求項１３】
前記フォーカス制御部は、前記操作部位が前記タッチパネルに対して前記複数のタッチ近接範囲のうち前記タッチパネルに近い側の前記タッチ近接範囲内に入ると、前記被写体に対するフォーカスを実行することを特徴とする請求項１記載の撮像装置。
【請求項１４】
前記操作部位が前記タッチパネルに対して垂直方向又は傾斜する方向から近接して接触する場合、
前記タッチパネル制御部は、前記タッチパネルに対する前記操作部位の距離が遠い順に第１と第２のタッチ近接範囲と、タッチ直前範囲とを設定し、
前記枠表示制御部は、前記操作部位が前記第２のタッチ近接範囲内に入ると、前記フォーカス用の枠を前記表示部の表示画面に表示し、
前記フォーカス制御部は、前記操作部位が前記タッチ直前範囲内に入ると、前記被写体に対するフォーカスを実行し、
前記撮像制御部は、前記操作部位が前記タッチパネルに前記接触すると、前記撮像部により撮像動作を行う、
ことを特徴とする請求項１２記載の撮像装置。
【請求項１５】
前記枠表示制御部は、前記操作部位が前記第２のタッチ近接範囲内に入り、前記操作部位が前記タッチパネルに接近する毎に、前記フォーカス用の枠のサイズを順次縮小することを特徴とする請求項１４記載の撮像装置。
【請求項１６】
前記フォーカス制御部は、前記操作部位が前記第２のタッチ近接範囲内に入って前記フォーカスを実行中に、前記操作部位が移動すると、前記フォーカスの実行を中断し、再び、前記操作部位が停止すると、前記被写体に対するフォーカスの実行を再開することを特徴とする請求項１４記載の撮像装置。
【請求項１７】
前記撮像制御部は、前記撮像部の撮像により取得した前記被写体の画像を前記表示部の表示画面上に拡大表示することを特徴とする請求項１４記載の撮像装置。
【請求項１８】
再生モード時に、複数の画像を前記表示部の表示画面に表示する一覧表示部と、
前記複数の画像のうちいずれか１つの画像が選択されると、当該選択された画像を前記表示部に拡大表示する画像再生部と、
を含み、
前記枠表示制御部は、前記タッチパネル制御部により前記操作部位が前記近接又は接触している状態で、前記表示部にフォーカス用の枠を表示し、かつ前記操作部位の移動に追従して前記フォーカス用の枠を前記選択する画像に移動する、
ことを特徴とする請求項１記載の撮像装置。
【請求項１９】
動画像又は静止画像を表示する表示部に設けられたタッチパネルに対して操作部位が近接しようとするのかを検出し、
前記操作部位が前記タッチパネルに対して近接しようとすると、前記表示部にフォーカス用の枠を表示すると共に、前記タッチパネルに近接しようとする前記操作部位の移動に追従して前記フォーカス用の枠を移動し、
撮影指示を受けると、前記フォーカス用の枠内の前記被写体に対してフォーカスを実行し、被写体に対する撮像を行う、
ことを特徴とする撮像装置の撮像方法。
【請求項２０】
前記操作部位が前記タッチパネルに対して傾斜する方向から近接しようとする場合、
前記タッチパネルに対して接近しようとする前記操作部位の位置を前記傾斜に基づいて求め、この操作部位の位置に対応する前記表示部上に前記フォーカス用の枠を表示する。
ことを特徴とする請求項１９記載の撮像装置の撮像方法。
【請求項２１】
前記フォーカス用の枠の移動は、前記近接の状態にある前記操作部位の移動に追従することを特徴とする請求項１９記載の撮像装置の撮像方法。
【請求項２２】
前記フォーカス用の枠は、前記操作部位と前記タッチパネルとの距離に応じて前記フォーカス用の枠のサイズを縮小・拡大することを特徴とする請求項２１記載の撮像装置の撮像方法。
【請求項２３】
前記フォーカス用の枠は、前記操作部位と前記タッチパネルと距離が短くなるに従って前記フォーカス用の枠のサイズを縮小することを特徴とする請求項２２記載の撮像装置の撮像方法。
【請求項２４】
前記フォーカスは、前記フォーカス用の枠の移動中に前記フォーカスを実行せず、前記操作部位が停止すると、前記被写体に対して実行することを特徴とする請求項１９記載の撮像装置の撮像方法。
【請求項２５】
動画像又は静止画像を表示する表示部に設けられたタッチパネルに対して操作部位が近接又は接触したかを検出させる検出機能と、
前記操作部位が前記タッチパネルに対して近接しようとすると、前記表示部にフォーカス用の枠を表示すると共に、前記タッチパネルに近接しようとする前記操作部位の移動に追従して前記フォーカス用の枠を移動させる追従機能と、
撮影指示を受けると、前記フォーカス用の枠内の前記被写体に対してフォーカスを実行し、被写体に対する撮像を行わせる撮像機能と、
を含むコンピュータにより処理可能な追尾プログラムを記憶する記憶媒体。
【発明の詳細な説明】
【技術分野】
【０００１】
本発明は、撮像により取得した画像を表示する表示部にタッチパネルを設け、タッチパネル上でのユーザの指等の操作部位の接触した部分に対応する画像を例えば拡大表示する撮像装置に関する。
【背景技術】
【０００２】
かかる撮像装置としては、例えば特許文献１に開示されている技術がある。この技術は、追尾対象にする特定の被写体を、容易な操作によって撮影時に選択可能にする。この技術による追尾対象とする被写体の選択は、モニタ上にタッチパネルを設け、このタッチパネルにタッチすると、当該タッチされた箇所に対応する特定部位を表示画像から抽出し、この特定部位と当該特定部位の抽出後に生成された映像信号により表される画像とを比較し、特定部位に該当する画像部分を映像信号から検出することにより行われる。
【先行技術文献】
【特許文献】
【０００３】
【特許文献１】特開２００６−１０１１８６号公報
【発明の概要】
【発明が解決しようとする課題】
【０００４】
しかしながら、被写体の選択は、モニタ上に設けられたタッチパネルに対してタッチすることにより行われる。このため、タッチ動作のときに、例えばモニタ上のタッチされる箇所に対応する表示画像が隠されて見づらく、見られないことがある。【０００５】
本発明の目的は、モニタ上のタッチされる箇所に対応する画像が隠れずに確認しながら撮像ができる撮像装置及びその撮像方法、コンピュータにより処理可能な追尾プログラムを記憶する記憶媒体を提供することにある。
【課題を解決するための手段】
【０００６】
本発明の撮像装置は、動画像又は静止画像を表示する表示部と、前記表示部に設けられたタッチパネルと、前記タッチパネルに対して操作部位が近接しようとすると、前記表示部にフォーカス用の枠を表示すると共に、前記タッチパネルに近接しようとする前記操作部位の移動に追従して前記フォーカス用の枠を移動する枠表示制御部と、撮影指示を受けて前記フォーカス用の枠内の前記被写体に対してフォーカスを実行して撮像を行う撮像制御部とを具備する。【０００７】
本発明の撮像装置の撮像方法は、動画像又は静止画像を表示する表示部に設けられたタッチパネルに対して操作部位が近接しようとするかを検出し、前記操作部位が前記タッチパネルに対して近接しようとすると、前記表示部にフォーカス用の枠を表示すると共に、前記タッチパネルに近接しようとする前記操作部位の移動に追従して前記フォーカス用の枠を移動し、撮影指示を受けると、前記フォーカス用の枠内の前記被写体に対してフォーカスを実行し、被写体に対する撮像を行う。【０００８】
本発明のコンピュータにより処理可能な追尾プログラムを記憶する記憶媒体は、動画像又は静止画像を表示する表示部に設けられたタッチパネルに対して操作部位が近接しようとすることを検出させる検出機能と、前記操作部位が前記タッチパネルに対して近接しようとすると、前記表示部にフォーカス用の枠を表示すると共に、前記タッチパネルに近接しようとする前記操作部位の移動に追従して前記フォーカス用の枠を移動させる追従機能と、撮影指示を受けると、前記フォーカス用の枠内の前記被写体に対してフォーカスを実行し、被写体に対する撮像を行わせる撮像機能とを含む。
【発明の効果】
【０００９】
本発明は、モニタ上のタッチされる箇所に対応する画像が隠れずに確認しながら撮像ができる撮像装置及びその撮像方法、コンピュータにより処理可能な追尾プログラムを記憶する記憶媒体を提供できる。
【図面の簡単な説明】
【００１０】
【図１】図１は本発明に係る撮像装置の第１の実施の形態を示す構成図である。
【図２】図２は同装置におけるタッチパネルのセンサパターンを示す模式図である。
【図３】図３は同装置におけるタッチパネルに例えばユーザの指を近付けたときの状態を示す図である。
【図４】図４は同装置におけるタッチパネルとユーザの指Ｆとの間の静電容量変化を示す図である。
【図５】図５は同装置におけるタッチパネルに対してユーザの指が角度で接触しようとする場合を示す図である。
【図６】図６は同装置におけるタッチパネルに対してユーザの指が接触しようとするときの静電容量値の変化の経過を示す図。
【図７】図７は同装置における液晶ディスプレイの表示面に表示されるフォーカス用の枠を示す図である。
【図８】図８は同装置におけるユーザの指の移動に追従するフォーカス用の枠の移動を示す図である。
【図９】図９は同装置におけるユーザの指の移動する速度に応じたフォーカス用の枠のサイズを縮小・拡大を示す図である。
【図１０】図１０は同装置による第１の撮像動作における撮像動作フローチャートである。
【図１１】図１１は同装置による第１の撮像動作における撮影モードフローチャートである。
【図１２】図１２は同装置による第１の撮像動作における撮像動作タイミング図である。
【図１３】図１３は同装置におけるタッチパネルにユーザの指が接触しようとする状態の表示画像及びユーザの指の位置を示す図。
【図１４】図１４は同装置におけるタッチパネルに対いてユーザの指が第１の近接範囲内に入った状態の表示画像及びユーザの指の位置を示す図。
【図１５】図１５は同装置におけるタッチパネルに対いてユーザの指が第２の近接範囲内に入った状態の表示画像及びユーザの指の位置を示す図。
【図１６】図１６は同装置におけるタッチパネルに対いてユーザの指が接触した状態の表示画像及びユーザの指の位置を示す図。
【図１７】図１７は同装置による第２の撮像動作における撮影モードフローチャートである。
【図１８】図１８は同装置による第２の撮像動作における撮像動作タイミング図である。
【図１９】図１９は同装置におけるユーザの指の移動時のフォーカス用の枠の追従を説明するための図。
【図２０】図２０は同装置におけるユーザの指が一定時間だけ移動を停止している状態を示す図。
【図２１】図２１は同装置における撮像動作中の枠拡大縮小表示フローチャートである。
【図２２】図２２は同装置による第３の撮像動作における撮像動作タイミング図である。
【図２３】図２３は同装置におけるフォーカス用の枠のサイズを変更するときの各サイズ別範囲示す模式図である。
【図２４】図２４は同装置におけるタッチパネルにユーザの指が傾斜する方向で接近して接触しようとする状態の表示画像及びユーザの指の位置を示す図。
【図２５】図２５は同装置におけるタッチパネルに対いてユーザの指が傾斜する方向で接近して第１の近接範囲内に入った状態の表示画像及びユーザの指の位置を示す図。
【図２６】図２６は同装置におけるタッチパネルに対いてユーザの指が傾斜する方向で接近して第２の近接範囲内に入った状態の表示画像及びユーザの指の位置を示す図。
【図２７】図２７は同装置におけるタッチパネルに対いてユーザの指が接触した状態の表示画像及びユーザの指の位置を示す図。
【図２８】図２８は同装置による第４の撮像動作における撮像動作フローチャートである。
【図２９】図２９は同装置における液晶ディスプレイの表示画面上へのフォーカス用の枠の表示例を示す図。
【図３０】図３０は同装置におけるフォーカス用の枠の移動フローチャートである。
【発明を実施するための形態】
【００１１】
以下、本発明の第１の実施の形態について図面を参照して説明する。  
図１は撮像装置の構成図を示す。撮像部１００は、被写体を撮像し、その撮像信号を出力する。撮像部１００は、レンズ１１と、絞り１２と、オートフォーカス（ＡＦ）機構１３と、シャッタ１４と、撮像センサ１５と、撮像回路１６と、Ａ／Ｄ変換器１７とを含む。被写体からの光束は、レンズ１１から絞り１２、シャッタ１４を通って撮像センサ１５に入射する。撮像センサ１５は、入射した光束を電気信号に変換する。撮像回路１６は、撮像センサ１５からの電気信号をアナログ撮像信号として出力する。Ａ／Ｄ変換器１７は、撮像回路１６からのアナログ撮像信号を所定の形式のデジタル撮像信号に変換して画像処理装置１８とファインダ画像生成部２３とに送る。ＡＦ機構１３は、レンズ１１を光軸方向に移動し、被写体に対するＡＦを行う。
【００１２】
画像処理装置１８は、Ａ／Ｄ変換部１７によって変換されたデジタル撮像信号に対して所定の画像処理、例えば当該画像データによって表されるべき画像の色調補正、階調補正、γ（ガンマ）補正といった調整等を行い、これら調整等を行った画像信号をバッファメモリ１９に一時記憶する。  
圧縮伸長部２１は、バッファメモリ１９に一時記憶される画像信号に対して圧縮・伸長を行い、記録媒体２２に記録するのに適する形式に成形して主画像データを生成し、この主画像データをインタフェース２２ａを介して記録媒体２２に記録する。
【００１３】
第１の液晶制御部２０は、バッファメモリ１９に一時記憶される画像信号を読み出し、この画像信号に対して液晶ディスプレイ（以下、ＬＣＤと称する）９に表示するのに適した形式のスルー画像を生成し、このスルー画像をＬＣＤ９に表示する、いわゆるライブビュー機能を備える。  
第１の液晶制御部２０は、記録媒体２２に記録されている画像データをバッファメモリ１９、圧縮伸長部２１を通して読み出し、この画像データをＬＣＤ９に表示する。
【００１４】
ファインダ画像生成部２３は、Ａ／Ｄ変換部１７によって変換されたデジタル撮像信号からＥＶＦ等の表示装置３に表示するのに適した形式の動画のファインダ画像データを生成する。  
第２の液晶制御部２４は、ファインダ画像生成部２３により生成された動画のファインダ画像データをＥＶＦ等の表示装置３に表示する。
【００１５】
ＬＣＤ９の表示画面上は、タッチパネル３１が設けられている。タッチパネル３１は、当該タッチパネル３１に対してタッチする操作部位、例えばユーザの指によるタッチ（接触）を検出し、当該タッチ部位に対応する座標信号を出力する。  
タッチパネル制御部３０は、タッチパネル３１の駆動を制御し、タッチパネル３１から出力された座標信号を入力し、タッチパネル３１上でのタッチ部位を判定する。タッチパネル制御部３０は、タッチパネル３１と例えばユーザの指との間の静電容量の変化に基づいてタッチパネル３１に対して例えばユーザの指が近接又はタッチしたか否かを判定する。
【００１６】
図２はタッチパネル３１のセンサパターンの模式図を示す。タッチパネル３１には、複数のセンサ３１ａがｘｙ方向に一定間隔毎に配列されている。各センサ３１ａは、上記の通り、例えばユーザの指との間の静電容量の変化に基づいてユーザの指がタッチパネル３１に対して次第に近付いてタッチしようといているのか、又はユーザの指がタッチパネル３１にタッチしたか否かを判定する。なお、タッチパネル３１は、表面に保護フィルム、保護ガラス、保護パネル等の保護層が形成されているので、ユーザの指のタッチは、保護層に対するタッチを含む。各センサ３１ａは、静電容量方式投影型であって、自己容量方式と相互容量方式とがある。自己容量方式は、各センサ３１ａと例えばユーザの指との間に生じる静電容量値をセンシングする。相互容量方式は、例えばユーザの指が各センサ３１ａに近付くことによって、隣接するセンサ３１ａ間の電気容量変化をセンシングする。  
図３は静電容量方式のタッチパネル３１に例えばユーザの指Ｆを近付けた状態を示す。図４は静電容量方式のタッチパネル３１にユーザの指Ｆを近付けたときのタッチパネル３１とユーザの指Ｆとの間の静電容量変化を示す。ユーザの指Ｆは、例えばタッチパネル３１の面上の座標（ｘ，ｙ，ｚ）の上方に位置する。タッチパネル３１とユーザの指Ｆとの間の静電容量は、ユーザの指Ｆをタッチパネル３１に近付けるに従って２次関数的に増加する。従って、各センサ３１ａは、タッチパネル３１とユーザの指Ｆとの間の静電容量の応じた信号、すなわちタッチパネル３１とユーザの指Ｆとの間の距離Ｄ（以下、タッチ間距離と称する）に応じた信号を出力する。
【００１７】
タッチパネル３１に対するユーザの指Ｆの近接又はタッチを判定するために、複数のタッチ近接範囲Ｅ１〜Ｅｎとタッチ直前範囲Ｔとが設定される。タッチパネル３１では、例えば図４に示すように第１と第２のタッチ近接範囲Ｅ１、Ｅ２とタッチ直前範囲Ｔとが設定される。第１と第２のタッチ近接範囲Ｅ１、Ｅ２とタッチ直前範囲Ｔとは、タッチパネル３１とユーザの指Ｆとのタッチ間距離ＤをＤ３、Ｄ２、Ｄ１（Ｄ３＞Ｄ２＞Ｄ１）としたときに、各距離Ｄ３−Ｄ２の間を第１のタッチ近接範囲Ｅ１と設定し、各距離Ｄ２−Ｄ３の間を第２のタッチ近接範囲Ｅ２と設定し、距離Ｄ３以内でかつタッチパネル３１にユーザの指Ｆがタッチするまでの間をタッチ直前範囲Ｔと設定する。  
第１と第２のタッチ近接範囲Ｅ１、Ｅ２とタッチ直前範囲Ｔとは、タッチパネル３１とユーザの指Ｆとの間の静電容量値Ｔｈ１、Ｔｈ２、Ｔｈ３により区切られる。各静電容量値Ｔｈ１、Ｔｈ２、Ｔｈ３の大きさの関係は、Ｔｈ１＜Ｔｈ２＜Ｔｈ３である。これにより、第１のタッチ近接範囲Ｅ１は、静電容量値Ｔｈ１−Ｔｈ２の間である。第２のタッチ近接範囲Ｅ２は、静電容量値Ｔｈ２−Ｔｈ３の間である。タッチ直前範囲Ｔは、静電容量値Ｔｈ３を含む僅かな範囲である。
【００１８】
従って、タッチパネル制御部３０は、タッチＡＦモードの動作、すなわちタッチパネル３１の各センサ３１ａにより検出される静電容量値の変化をモニタし、当該静電容量値の変化する領域をタッチしようとする座標位置として検出する。タッチパネル制御部３０は、タッチパネル３１における静電容量値の変化をモニタし、モニタされた静電容量値と各静電容量値Ｔｈ１、Ｔｈ２、Ｔｈ３とを比較し、タッチパネル３１に対してユーザの指Ｆが第１のタッチ近接範囲Ｅ１内、第２のタッチ近接範囲Ｅ２内、又はタッチ直前範囲Ｔ内に存在するか、さらにはタッチパネル３１にタッチしたか否かを判定する。
【００１９】
タッチパネル３１にユーザの指Ｆがタッチしようとする場合、ユーザの指Ｆは、タッチパネル３１に対して角度θでタッチしようとすることが多い。図５はタッチパネル３１に対してユーザの指Ｆが角度θの傾斜する方向でタッチしようとする場合を示す。ここで、ユーザの指Ｆとタッチパネル３１の表示面とのタッチ間距離をＤ（Ｄ１、Ｄ２、Ｄ３を含む）、タッチしようとするポイントＰとユーザの指Ｆとの水平距離をｘ、タッチしようとするポイントＰからの角度をθ（タッチパネル３１の表示面の垂線を基準とする角度）とする。
【００２０】
図６Ａ、図６Ｂ、図６Ｃはタッチパネル３１に対してユーザの指Ｆがタッチしようとするときの静電容量値の一定時間毎の変化の経過を示す。同図において各センサ３１ａには、静電容量値を模式的に示す各数値「１」「２」…「５」等を記載する。これら数値「１」「２」…「５」は、数値が大きい程、静電容量値が大きいことを示す。  
ユーザの指Ｆがタッチパネル３１に近付くに従ってタッチパネル３１の静電容量値が大きくなる。ユーザの指Ｆとタッチパネル３１の表示面とのタッチ間距離Ｄが遠い場合は、各センサ３１ａの静電容量の変化量が少ない。タッチパネル制御部３０は、タッチパネル３１上で静電容量の変化を検出した箇所、例えば図６Ａに示すように数値「１」の表れた箇所を始点の座標位置ＳＴ１とする。
【００２１】
始点とするユーザの指Ｆの座標位置ＳＴ１を検出した時刻ｔ０から時間ｔ１の後、ユーザの指Ｆがタッチパネル３１の表示面に近付いてタッチ間距離Ｄが小さくなると、タッチパネル３１上で静電容量値が大きくなる。図６Ｂでは各数値「３」「１」の表れる箇所が増えている。タッチパネル制御部３０は、各数値「３」「１」のうち最も静電容量値の変化の大きい箇所、例えば数値「３」の箇所の座標位置ＳＴ２を検出し、この数値「３」の箇所の座標位置ＳＴ２と始点の位置座標ＳＴ１とから水平移動距離ｘとタッチ間距離Ｄとを求める。  
続いて、時間ｔ１から時間ｔ２の後、ユーザの指Ｆがタッチパネル３１の表示面に近付いてタッチ間距離Ｄがさらに小さくなると、タッチパネル３１上で静電容量値がさらに大きくなる。図６Ｃでは各数値「５」「３」「１」等の表れる箇所が増えている。タッチパネル制御部３０は、各数値「５」「３」「１」等のうち最も静電容量値の変化の大きい箇所、例えば数値「５」の箇所の座標位置ＳＴ３を検出し、この数値「５」の箇所の座標位置ＳＴ３と始点の座標位置ＳＴ１とから水平距離ｘとタッチ間距離Ｄとを求める。
【００２２】
これ以降、タッチパネル制御部３０は、一定時間毎に、最も静電容量値の変化の大きい箇所の座標位置ＳＴｍを検出し、この座標位置ＳＴｍと始点の座標位置ＳＴ１とから水平移動距離ｘとタッチ間距離Ｄとを求める。なお、タッチパネル制御部３０は、一定時間毎に、最も静電容量値の変化の大きい箇所の座標位置ＳＴｍと直前の座標位置ＳＴｍ-1とから一定時間毎に水平移動距離ｘとタッチ間距離Ｄとを求めてもよい。
【００２３】
タッチパネル制御部３０は、一定時間毎に求められる各水平移動距離ｘと各タッチ間距離Ｄとからユーザの指Ｆの移動方向Ｍを求め、この移動方向Ｍから角度θを求め、さらに水平移動距離ｘとタッチ間距離Ｄと角度θとからユーザの指Ｆがタッチしようとする候補ポイントＰの座標位置を求める。
【００２４】
候補ポイントＰの座標位置の別の算出方法について説明すると、タッチパネル制御部３０は、タッチパネル３１の各センサ３１ａにより検出される静電容量値からユーザの指Ｆとタッチパネル３１の表示面とのタッチ間距離Ｄを求める。タッチ間距離Ｄとユーザの指Ｆの角度θとは、三角関数Ｄ＝ｒ・cosθ、ｘ＝ｒ・sinθの関係を有する。従って、タッチパネル制御部３０は、タッチ間距離Ｄとユーザの指Ｆの角度θとを用いて三角関数Ｄ＝ｒ・cosθ、ｘ＝ｒ・sinθを演算することにより水平距離ｘを求める。タッチパネル制御部３０は、タッチ間距離Ｄと角度θと水平距離ｘからユーザの指Ｆがタッチしようとする候補ポイントＰの座標位置を求める。
【００２５】
なお、ユーザの指Ｆの角度θは、予め設定した角度、例えば４５°に設定してもよい。ユーザの指Ｆの角度θ（＝４５°）は、ユーザの指Ｆがタッチパネル３１にタッチするときに向かう一般的な角度である。
【００２６】
システムコントローラ２６は、被写体を撮像するときの一連の撮像動作を制御する。システムコントローラ２６は、撮像部１００と、画像処理装置１８と、バッファメモリ１９と、圧縮伸長部２１と、インタフェース２２ａと、ファインダ画像生成部２３と、タッチパネル制御部３０と、第１の液晶制御部２０と、第２の液晶制御部２４とを制御する。システムコントローラ２６には、操作部２７と、ストロボ制御回路２５とが接続されている。操作部２７は、例えばレリーズボタン５と、モードダイヤル６と、十字キー７と、確定キー８とを有する。操作部２７は、電源ボタンや終了ボタン等を含む。ストロボ制御回路２５は、閃光を発するストロボ４を動作制御する。
【００２７】
このシステムコントローラ２６は、枠表示制御部４０と、フォーカス制御部４１と、撮像制御部４２と、顔検出部４３と、一覧表示部４４と、画像再生部４５とを含む。  
枠表示制御部４０は、ユーザの指Ｆがタッチパネル３１にタッチしようとして近接すると、図７に示すようにＬＣＤ９の表示画面上に表示されている画像上におけるタッチしようとするタッチパネル３１の部位に対応する画像領域にフォーカス用の枠Ｗを表示する。この場合、枠表示制御部４０は、タッチパネル制御部３０により求められた候補ポイントＰの座標位置を中心としてフォーカス用の枠Ｗを表示する。
【００２８】
枠表示制御部４０は、ユーザの指Ｆが第２のタッチ近接範囲Ｅ２内に入ったときにフォーカス用の枠Ｗを表示する。フォーカス用の枠Ｗは、ユーザの指Ｆが第１のタッチ近接範囲Ｅ１に入ったときから表示するようにしてもよい。
【００２９】
ユーザの指Ｆがタッチパネル３１に対して近接しようとするときにフォーカス用の枠Ｗを表示すれば、ユーザの指Ｆがタッチパネル３１にタッチする前に、ユーザの指Ｆのタッチしようとするタッチパネル３１の部位がＬＣＤ９の表示画面上で確認できる。ユーザの指Ｆのタッチしようとする部位は、ユーザの指Ｆがタッチパネル３１にタッチする前であるので、フォーカス用の枠Ｗがユーザの指Ｆにより隠れることなく確認できる。この確認で、ユーザの指Ｆのタッチする領域がユーザの要求する領域と異なれば、ユーザの指Ｆのタッチしようとする領域を変えることができる。
【００３０】
ユーザの指Ｆのタッチしようとする候補ポイントＰの座標位置がタッチパネル制御部３０によって事前に求められるので、後述するフォーカス制御部４１は、ユーザの指Ｆがタッチパネル３１にタッチする前に、候補ポイントＰの座標位置に対応する被写体にフォーカスを行うことができる。ユーザの指Ｆがタッチパネル３１にタッチしてからフォーカスを行う場合よりも、フォーカスするまでの時間を短くできる。
【００３１】
フォーカス用の枠Ｗは、例えばユーザの操作によって主要被写体としての人物の顔部Ｓに設定されている。フォーカス用の枠Ｗは、例えば正方形に形成されているが、これに限らず、円形、長方形、二重丸等に形成してもよい。
【００３２】
枠表示制御部４０は、ユーザの指Ｆがタッチパネル３１に対して近接し、例えばユーザの指Ｆが第２のタッチ近接範囲Ｅ２内に入っている状態に、図８に示すようにユーザの指ＦがＬＣＤ９の表示画面上と同一平面内の方向に移動すると、ユーザの指Ｆの移動に追従してフォーカス用の枠ＷをＬＣＤ９の表示画面上で移動する。例えば人物が移動すると、フォーカス用の枠Ｗは、ユーザの指Ｆの移動に追従し、移動した人物の顔部Ｓに設定される。  
枠表示制御部４０は、ユーザの指Ｆの移動に追従してフォーカス用の枠Ｗを移動する場合、ユーザの指Ｆの移動する速度に応じた速度、例えばユーザの指Ｆの移動速度の増減に応じて増減した速度でフォーカス用の枠Ｗを移動する。枠表示制御部４０は、ユーザの指Ｆの移動に追従してフォーカス用の枠Ｗを移動する場合、ユーザの指Ｆの移動する方向と同一方向でフォーカス用の枠Ｗを移動する。
【００３３】
枠表示制御部４０は、ユーザの指Ｆとタッチパネル３１の表示面とのタッチ間距離Ｄに応じてフォーカス用の枠Ｗのサイズを縮小・拡大する。例えば、枠表示制御部４０は、タッチ間距離Ｄが狭くなるに従ってフォーカス用の枠Ｗのサイズを図９に示すように矢印の方向に縮小し、タッチ間距離Ｄが広くなるに従ってフォーカス用の枠Ｗのサイズを拡大する。フォーカス用の枠Ｗのサイズを縮小すれば、ユーザの指Ｆのタッチしようとする候補ポイントＰを狙って絞り込むような表示をすることができる。
【００３４】
枠表示制御部４０は、被写体に対する撮影方向や構図等を変化させずに予め設定された長時間だけ当該撮像装置の移動を停止すると、ＬＣＤ９の表示画面中のフォーカス用の枠Ｗの表示状態をロックしてもよい。枠表示制御部４０は、撮像装置が移動すると、フォーカス用の枠Ｗの表示状態のロックを解除する。
【００３５】
フォーカス制御部４１は、ユーザの指Ｆがタッチパネル３１にタッチする前に、フォーカス用の枠Ｗ内の被写体上の候補ポイントＰに対するフォーカス処理を実行する。
【００３６】
フォーカス制御部４１は、枠表示制御部４０によるフォーカス用の枠Ｗの移動、すなわちＬＣＤ９の表示画面上と同一平面内の方向への移動中にフォーカスの実行を行わず、ユーザの指Ｆの移動が停止すると、フォーカス用の枠Ｗ内の被写体に対するフォーカスを実行する。
【００３７】
フォーカス制御部４１は、フォーカス用の枠Ｗが表示されてからフォーカスを実行するようにしてもよい。
【００３８】
フォーカス制御部４１は、ユーザの指Ｆが複数のタッチ近接範囲Ｅ１〜Ｅｎのうち所定の近接範囲内、例えば第２のタッチ近接範囲Ｅ２内に接近すると、フォーカス用の枠Ｗ内の被写体に対するフォーカスを実行する。
【００３９】
撮像制御部４２は、ユーザの指Ｆのタッチパネル３１に対するタッチを検出すると、当該タッチ検出時に撮像部１００により撮像を行う。  
顔検出部４３は、画像データ中に被写体の顔部位Ｓが存在するか否か、又は画像データ中に表示されているフォーカス用の枠Ｗ内に被写体の顔部位Ｓが存在するか否かを検出する。顔検出部４３は、画像データ中に存在する被写体の顔部位Ｓを検出する。  
顔検出部４３により被写体の顔部位Ｓが検出されると、枠表示制御部４０は、当該被写体の顔部位Ｓに対してフォーカス用の枠Ｗを表示するようにしてもよい。フォーカス用の枠Ｗの表示の開始は、上記同様に、ユーザの指Ｆが第２のタッチ近接範囲Ｅ２内に入ったときである。被写体の顔部位Ｓを主要被写体として撮影する場合、枠表示制御部４０により表示されるフォーカス用の枠Ｗの位置が主要被写体に対してずれたとしても、顔検出部４３により検出された顔部位Ｓにフォーカス用の枠Ｗの表示位置を修正できる。
【００４０】
一覧表示部４４は、再生モード時に、複数の画像をＬＣＤ９の表示画面上に一覧表示する。一覧表示部４４は、例えば記録媒体２２に記録されている複数の画像データを読み出し、各画像データを第１の液晶制御部２０を介してＬＣＤ９の表示画面上に一覧表示する。  
画像再生部４５は、一覧表示部４４によりＬＣＤ９の表示画面上に一覧表示された複数の画像データのうちいずれか１つの画像データが選択されると、当該選択された画像データをＬＣＤ９の表示画面上に拡大表示する。
【００４１】
［第１の撮像動作］
次に、上記の如く構成された装置の第１の撮像動作について図１０に示す撮像動作フローチャートを参照して説明する。  
システムコントローラ２６は、ステップ＃１において、タッチパネル３１の電源をオン（ＯＮ）し、ステップ＃２において、ＬＣＤ９の電源をオン（ＯＮ）する。  
システムコントローラ２６は、ステップ＃３において、例えばユーザのモードダイヤル６に対する操作によって選択されたモード、例えば撮影モード又は再生モードを受け付ける。  
システムコントローラ２６は、ステップ＃４において、選択されたモードが撮影モード又は再生モードであるのかを判定する。この判定の結果、撮影モードであれば、システムコントローラ２６は、ステップ＃５に移り、撮影モードに設定する。
【００４２】
以下、撮影モードにおける撮像動作について図１１に示す撮影モードフローチャートに従って説明する。  
図１２は撮像動作タイミング図を示す。同図は、タッチパネル３１と例えばユーザの指Ｆとの間に生じる静電容量値のセンシングの可能な期間と、ＬＣＤ９の表示面に表示されるフォーカス用の枠Ｗの表示期間と、オートフォーカス（ＡＦ）を実行する期間と、撮影を実行する期間とを示す。
【００４３】
撮影モードにおいて、システムコントローラ２６は、撮像部１００と、画像処理装置１８と、バッファメモリ１９と、圧縮伸長部２１と、インタフェース２２ａと、ファインダ画像生成部２３と、タッチパネル制御部３０と、第１の液晶制御部２０と、第２の液晶制御部２４とを制御し、被写体を撮像するときの一連の撮像動作を制御する。  
すなわち、被写体からの光束は、レンズ１１から絞り１２、シャッタ１４を通って撮像センサ１５に入射する。このとき、ＡＦ機構１３は、レンズ１１を光軸方向に移動し、被写体に対するＡＦを行う。撮像センサ１５は、入射した光束を電気信号に変換する。撮像センサ１５から出力された電気信号は、撮像回路１６によりアナログ撮像信号として出力され、Ａ／Ｄ変換器１７により所定の形式のデジタル撮像信号に変換されて画像処理装置１８とファインダ画像生成部２３とに送られる。  
画像処理装置１８は、Ａ／Ｄ変換部１７によって変換されたデジタル撮像信号に対して所定の画像処理、例えば当該画像データによって表されるべき画像の色調補正、階調補正、γ（ガンマ）補正といった調整等を行い、これら調整等を行った画像信号をバッファメモリ１９に一時記憶する。
【００４４】
第１の液晶制御部２０は、バッファメモリ１９に一時記憶される画像信号を読み出し、この画像信号に対してＬＣＤ９に表示するのに適した形式のスルー画像を生成し、このスルー画像をＬＣＤ９にライブビュー表示する。  
この撮影モードにおいて、システムコントローラ２６は、ステップ＃１０において、タッチオートフォーカス（ＡＦ）モードに設定されているか否かを判定する。この判定の結果、タッチＡＦモードに設定されていると、タッチパネル制御部３０は、タッチパネル３１における静電容量値の変化をモニタし、静電容量値の変化する領域をタッチしようとする座標位置として検出する。タッチパネル制御部３０は、モニタされた静電容量値と各静電容量値Ｔｈ１、Ｔｈ２、Ｔｈ３とを比較し、タッチパネル３１に対してユーザの指Ｆが第１のタッチ近接範囲Ｅ１内、第２のタッチ近接範囲Ｅ２内、又はタッチ直前範囲Ｔ内に存在するか、さらにはタッチパネル３１にタッチしたか否かを判定する。
【００４５】
具体的に、タッチパネル制御部３０は、ステップ＃１１において、タッチパネル３１における静電容量値の変化をモニタし、ユーザが指Ｆをタッチパネル３１に近接してタッチしようとすることを判定する。ユーザの指Ｆがタッチしようとするところは、ＬＣＤ９上で、被写体中のフォーカスを要求する画像、例えば人物の顔部Ｓに対応する部分のタッチパネル３１上である。
【００４６】
図１３Ａ、図１３Ｂは、タッチパネル３１にユーザの指Ｆがタッチしようとする状態を示す。図１３Ａは、同状態におけるＬＣＤ９に表示される画像を示す。図１３Ｂは、同状態におけるタッチパネル３１とユーザの指Ｆとのタッチ間距離Ｄを示す。  
タッチパネル制御部３０は、ステップ＃１２において、タッチパネル３１における静電容量値の変化に基づいてユーザの指Ｆが図１４Ｂに示すように第１のタッチ近接範囲Ｅ１（Ｄ３≧Ｄ＞Ｄ２）内に存在するか否かを判定する。第１のタッチ近接範囲Ｅ１内は、タッチパネル３１の表面から例えば３０−２０ｍｍ以内である。
【００４７】
この判定の結果、ユーザの指Ｆが第１のタッチ近接範囲Ｅ１内であれば、タッチパネル制御部３０は、タッチパネル３１の各センサ３１ａによりタッチパネル３１とユーザの指Ｆとの間に生じる静電容量値のセンシングが可能になり、ユーザの指Ｆがタッチパネル３１にタッチしようとしていることを判定する。ユーザの指Ｆが第１のタッチ近接範囲Ｅ１内に入った時点からセンシングが可能になるので、ユーザの指Ｆが第１のタッチ近接範囲Ｅ１外にあるときには、センシングを行わず、無駄な電力を消費することがない。第１のタッチ近接範囲Ｅ１外にあるときには、タッチパネル制御部３０は、センシングを抑制したり、ユーザの指Ｆとタッチパネル３１との間隔を広げたときの動作をしたり、システムコントローラ２６での回路動作や演算を制限したりして、無駄な電力を消費しなくても済むようにできる。
【００４８】
なお、タッチパネル３１とユーザの指Ｆとの間に生じる静電容量値の範囲を予め設定すれば、ユーザの指Ｆと異なる他の部材がタッチパネル３１に接触しようとするときに生じる静電容量値との区別することができる。これにより、ユーザの指Ｆがタッチパネル３１にタッチしようとしていることのみを判別することができ、他の部材がタッチパネル３１に接触しようとすることの誤動作を防止できる。
【００４９】
ユーザの指Ｆが図１４Ｂに示すように第１のタッチ近接範囲Ｅ１内に入った後、タッチパネル制御部３０は、ステップ＃１３において、タッチパネル３１における静電容量値の変化に基づいてユーザの指Ｆが図１５Ｂに示すように第２のタッチ近接範囲Ｅ２（Ｄ２≧Ｄ＞Ｄ１）内に存在するか否かを判定する。
【００５０】
この判定の結果、ユーザの指Ｆが第２のタッチ近接範囲Ｅ２内に存在すると、タッチパネル制御部３０は、ステップ＃１４において、タッチパネル３１上に投影されるユーザの指Ｆの座標位置を求める。すなわち、ユーザの指Ｆがタッチパネル３１の表示面に近付いてタッチ間距離Ｄが小さくなると、図６Ｂに示すようにタッチパネル３１上で静電容量値が大きくなり、例えば各数値「３」「１」の表れる箇所が増えている。タッチパネル制御部３０は、各数値「３」「１」のうち最も静電容量値の変化の大きい箇所、例えば数値「３」の箇所を座標位置を検出し、この座標位置をユーザの指Ｆの座標位置を求める。
【００５１】
これと共に、タッチパネル制御部３０は、ステップ＃１５において、タッチパネル３１における静電容量値からユーザの指Ｆが第２のタッチ近接範囲Ｅ２内に入ったことを判定し、その旨を枠表示制御部４０に送る。
【００５２】
枠表示制御部４０は、ユーザの指Ｆが第２のタッチ近接範囲Ｅ２内に存在することの旨を受けると、図１５Ａに示すようにＬＣＤ９にフォーカス用の枠Ｗを表示する。ユーザの指Ｆがタッチパネル３１にタッチする前にフォーカス用の枠Ｗを表示するので、フォーカス用の枠Ｗがユーザの指Ｆにより隠れることなく、ユーザの指Ｆのタッチしようとするタッチパネル３１の部位がＬＣＤ９の表示画面上で確認できる。
【００５３】
枠表示制御部４０は、ユーザの指Ｆが第１のタッチ近接範囲Ｅ１内にあるときフォーカス用の枠Ｗを表示せずに、第２のタッチ近接範囲Ｅ２内にあるときフォーカス用の枠Ｗを表示している。ユーザの指Ｆが第１のタッチ近接範囲Ｅ１内にあるときは、ユーザの指Ｆとタッチパネル３１との距離が広く、ユーザがタッチパネル３１にタッチする意思があるかどうか決めかねるからである。これにより、不要なフォーカス用の枠Ｗの表示を防止できる。
【００５４】
なお、ユーザの指Ｆとタッチパネル３１とのタッチ間距離Ｄは、図４に示すタッチ間距離Ｄ２−Ｄ１間である。第２のタッチ近接範囲Ｅ２内は、タッチパネル３１の表面から例えば２０−１０ｍｍ以内である。
【００５５】
タッチパネル制御部３０は、ステップ＃１６において、タッチパネル３１における静電容量値の変化に基づいてユーザの指Ｆが図１６Ｂに示すようにタッチ直前範囲Ｔ（Ｄ１≧Ｄ＞Ｄ０）内に存在し、タッチパネル３１にタッチされたか否かを判定する。
【００５６】
この判定の結果、ユーザの指Ｆがタッチ直前範囲Ｔ内に存在し、タッチパネル３１にタッチされると、フォーカス制御部４１は、ステップ＃１７において、フォーカス用の枠Ｗ内の被写体に対するオートフォーカス（ＡＦ）を開始する。  
フォーカス制御部４１は、ステップ＃１８において、フォーカス用の枠Ｗ内の被写体に対するオートフォーカス（ＡＦ）が終了したか否かを判定する。この判定の結果、フォーカス用の枠Ｗ内の被写体に対するオートフォーカス（ＡＦ）が終了すると、フォーカス制御部４１は、ステップ＃１９において、オートフォーカス（ＡＦ）をロック状態にする。
【００５７】
タッチパネル制御部３０は、ステップ＃２０において、フォーカス用の枠Ｗ内で、ユーザの指Ｆが図１６Ｂに示すように被写体中のフォーカスを要求する例えば人物の顔部Ｓに対応するタッチパネル３１上にタッチしたか否かを判定する。  
この判定の結果、フォーカス用の枠Ｗ内で、ユーザの指Ｆが図１６Ｂに示すように被写体中のフォーカスを要求する例えば人物の顔部Ｓに対応するタッチパネル３１上にタッチすると、タッチパネル制御部３０は、タッチパネル３１における静電容量値からユーザの指Ｆがタッチパネル３１にタッチしたことを判定し、その旨を撮像制御部４２に送る。  
撮像制御部４２は、ステップ＃２１において、タッチパネル制御部３０からのユーザの指Ｆがタッチパネル３１にタッチしたことの旨を受けると、当該タッチ検出時に、撮像部１００により静止画の撮像を行う。すなわち、被写体からの光束は、レンズ１１から絞り１２、シャッタ１４を通って撮像センサ１５に入射する。撮像センサ１５は、入射した光束を電気信号に変換する。撮像センサ１５から出力された電気信号は、撮像回路１６によりアナログ撮像信号として出力され、Ａ／Ｄ変換器１７により所定の形式のデジタル撮像信号に変換されて画像処理装置１８に送られる。画像処理装置１８は、Ａ／Ｄ変換部１７によって変換されたデジタル撮像信号に対して所定の画像処理、例えば当該画像データによって表されるべき画像の色調補正、階調補正、γ（ガンマ）補正といった調整等を行い、これら調整等を行った画像信号をバッファメモリ１９に一時記憶する。圧縮伸長部２１は、バッファメモリ１９に一時記憶される画像信号に対して圧縮・伸長を行い、記録媒体２２に記録するのに適する形式に成形して図１６Ａに示すような静止画としての主画像データを生成し、この主画像データをインタフェース２２ａを介して記録媒体２２に記録する。  
この後、システムコントローラ２６は、ステップ＃２２において、撮影モードを終了する。
【００５８】
一方、上記ステップ＃１０での判定の結果、タッチオートフォーカス（ＡＦ）モードに設定されていなければ、システムコントローラ２６は、ステップ＃３０に移り、継続してオートフォーカス（ＡＦ）を実行する否かを判定する。この判定の結果、被写体に対するフォーカスが継続すると、システムコントローラ２６は、ステップ＃３１において、ユーザによって操作部２７のレリーズボタン５が半押しされると、このレリーズボタン５の状態がオフ状態から１ｓｔレリーズスイッチのオン状態に移る。
【００５９】
システムコントローラ２６は、ステップ＃３４において、オートフォーカス（ＡＦ）を終了し、ステップ＃３５において、レリーズボタン５の状態が２ｎｄレリーズスイッチのオン状態であるか否かを判定する。この判定の結果、２ｎｄレリーズスイッチのオン状態であれば、撮像制御部４２は、ステップ＃３６において、撮像部１００に対して被写体の静止画の撮像動作を行わせる。システムコントローラ２６は、撮像制御部４２の撮像により取得された静止画をＬＣＤ９の表示画面上に拡大表示する。
【００６０】
上記継続してオートフォーカス（ＡＦ）を実行する否かの判定の結果、被写体に対するフォーカスが終了すれば、システムコントローラ２６は、ステップ＃３２に移り、ユーザによって操作部２７のレリーズボタン５が半押しされると、このレリーズボタン５の状態がオフ状態から１ｓｔレリーズスイッチのオン状態に移る。システムコントローラ２６は、ステップ＃３３において、ＡＦを開始し、ステップ＃３４において、オートフォーカス（ＡＦ）を終了し、ステップ＃３５、＃３６、＃２３に移る。
【００６１】
システムコントローラ２６は、図１０に示す撮像動作フローチャートに戻り、ステップ＃６において、操作部２７におけるモードダイヤル６や終了ボタン等の状態を読み取る。システムコントローラ２６は、続けて撮影モードに設定されていれば、ステップ＃３に戻り、終了ボタンが操作されると、ステップ＃７に移って電源をオフ（ＯＦＦ）する。
【００６２】
一方、システムコントローラ２６は、ステップ＃４における判定の結果、再生モードに設定されていると、ステップ＃８に移り、再生モードの動作を行う。例えば、一覧表示部４４は、当該再生モード時に、例えば記録媒体２２に記録されている複数の画像データを読み出し、これら画像データを第１の液晶制御部２０を介してＬＣＤ９の表示画面上に一覧表示する。  
画像再生部４５は、ステップ＃９において、一覧表示部４４によりＬＣＤ９の表示画面上に一覧表示された複数の画像データのうちいずれか１つの画像データが選択されると、当該選択された画像データのみをＬＣＤ９の表示画面上に拡大表示する。
【００６３】
このように上記第１の撮像動作によれば、タッチパネル３１に対してユーザの指Ｆが近接すると、当該近接する画像部分に対応するＬＣＤ９の表示画面上にフォーカス用の枠Ｗを表示し、フォーカス用の枠Ｗ内の被写体に対してオートフォーカス（ＡＦ）を行い、ユーザの指Ｆがフォーカス用の枠Ｗ内に対応するタッチパネル３１にタッチすると、撮像動作を行う。
【００６４】
このような上記第１の撮像動作であれば、オートフォーカス（ＡＦ）を行う画像部分にフォーカス用の枠Ｗを表示することによって、ＬＣＤ９の表示画面上のタッチパネル３１にユーザの指Ｆをタッチするときに、ユーザの指Ｆがタッチするに対応する画像を認識し易くなり、オートフォーカス（ＡＦ）を行う部分の画像を確認しながら撮像ができる。
【００６５】
ユーザの指Ｆがタッチパネル３１に対して近接しようとするときにフォーカス用の枠Ｗを表示すれば、ユーザの指Ｆがタッチパネル３１にタッチする前に、ユーザの指Ｆのタッチしようとするタッチパネル３１の部位がユーザの指Ｆにより隠れることなくＬＣＤ９の表示画面上で確認できる。この確認で、ユーザの指Ｆのタッチする領域がユーザの要求する領域と異なれば、ユーザの指Ｆのタッチしようとする領域を変えることができる。
【００６６】
ユーザの指Ｆがタッチパネル３１にタッチする前に、候補ポイントＰの座標位置に対応する被写体にフォーカスを行うことができるので、ユーザの指Ｆがタッチパネル３１にタッチしてからフォーカスを行う場合よりも、フォーカスするまでの時間を短くできる。
【００６７】
［第２の撮像動作］  
次に、第２の撮像動作について図１７に示す撮像動作フローチャートに従って説明する。図１８は撮像動作タイミング図を示す。同図は、上記図１２と同様に、タッチパネル３１と例えばユーザの指Ｆとの間に生じる静電容量値のセンシングの可能な期間と、ＬＣＤ９の表示面に表示されるフォーカス用の枠Ｗの表示期間と、オートフォーカス（ＡＦ）を実行する期間と、撮影を実行する期間とを示す。なお、上記第１の撮像動作と同一部分には同一符号を付してその詳しい説明は省略する。  
第２の撮像動作は、ユーザの指Ｆがタッチパネル３１に対して近接した状態、例えばユーザの指Ｆがタッチパネル３１に対して第２のタッチ近接範囲Ｅ２内に存在している状態に水平方向、すなわちＬＣＤ９の表示面と平行な平面方向に移動した場合である。
【００６８】
この第２の撮像動作であれば、タッチパネル制御部３０は、ステップ＃２０において、フォーカス用の枠Ｗ内で、ユーザの指Ｆが図１６Ｂに示すように被写体中のフォーカスを要求する例えば人物の顔部Ｓに対応するタッチパネル３１上にタッチしたか否かを判定する。  
この判定の結果、ユーザの指Ｆがタッチパネル３１上にタッチしていないと判定すると、枠表示制御部４０は、ステップ＃４０に移り、ユーザの指Ｆがタッチパネル３１に対して近接している状態、すなわちユーザの指Ｆが図４に示す第２のタッチ近接範囲Ｅ２内に存在している状態に、上記図８に示すようにユーザの指ＦがＬＣＤ９の表示面と平行な平面方向に移動したか否かを判定する。ユーザの指Ｆが第２のタッチ近接範囲Ｅ２内に存在している状態は、上記の通り、タッチパネル制御部３０によってタッチパネル３１の静電容量値から判定する。
【００６９】
ユーザの指Ｆの移動の判定では、ユーザの指Ｆがタッチパネル３１の表示面に近付いて第２のタッチ近接範囲Ｅ２内に入ると、上記図６Ｃに示すようにタッチパネル３１上で静電容量値が大きくなり、例えば各数値「５」「３」「１」等の表れる箇所が増える。タッチパネル制御部３０は、各数値「５」「３」「１」等のうち最も静電容量値の変化の大きい箇所、例えば数値「５」の箇所をユーザの指Ｆの座標位置として求める。
【００７０】
ユーザの指Ｆが図１９Ａに示すようにタッチパネル３１の上方で、当該タッチパネル３１の表示面と平行な平面方向に移動すると、タッチパネル３１上での静電容量値の大きくなる部分がユーザの指Ｆの移動に追従して移動する。タッチパネル制御部３０は、最も静電容量値の変化の大きい箇所となるユーザの指Ｆの座標位置の移動を追跡する。この追跡によりタッチパネル制御部３０は、ユーザの指Ｆの移動に追従し、ユーザの指Ｆの移動する各座標位置を逐次枠表示制御部４０に送る。フォーカス用の枠Ｗの移動は、ＬＣＤ９の表示画面上に表示される画像中の人物の顔部Ｓが移動することにより、人物の顔部Ｓの移動を追うようにユーザの指Ｆが移動することにより行われる。
【００７１】
枠表示制御部４０は、タッチパネル制御部３０により求められたユーザの指Ｆの移動する各座標位置を逐次受け取り、各座標位置からユーザの指Ｆが所定の移動距離Ｍ、例えば１０ｍｍ以上移動したか否かを判定する。  
この判定の結果、ユーザの指Ｆの移動距離が例えば１０ｍｍ以上であると判定すると、枠表示制御部４０は、ステップ＃４１において、タッチパネル制御部３０から逐次受け取るユーザの指Ｆの移動する各座標位置に基づいてユーザの指Ｆの移動する方向を判定し、図１９Ａ、図１９Ｂに示すように所定の移動距離Ｍの例えば２倍の移動距離２Ｍ、例えば２０ｍｍだけユーザの指Ｆの移動方向に例えば図８に示すようにフォーカス用の枠ＷをＬＣＤ９の表示画面上で移動する。
【００７２】
枠表示制御部４０は、ユーザの指Ｆの移動に追従してフォーカス用の枠ＷをＬＣＤ９の表示画面上で移動する場合、ユーザの指Ｆの移動する速度に比例した速度でフォーカス用の枠Ｗを移動する。  
フォーカス用の枠Ｗの移動中、フォーカス制御部４１は、被検体に対するフォーカスの実行を行わず、同フォーカスの実行を停止する。
【００７３】
枠表示制御部４０は、ステップ＃４２において、図２０Ａ、図２０Ｂ、図２０Ｃに示すようにユーザの指Ｆが移動を停止して１箇所に止まり、当該停止の状態が一定時間続いているか否かを判定する。この判定の結果、ユーザの指Ｆが移動していれば、枠表示制御部４０は、ステップ＃４１に戻り、ユーザの指Ｆの移動する各座標位置に従ってフォーカス用の枠ＷをＬＣＤ９の表示画面上で移動する。  
ユーザの指Ｆの移動が一定時間停止すると、枠表示制御部４０は、当該ユーザの指Ｆの移動が停止した旨をフォーカス制御部４１に送る。フォーカス制御部４１は、ユーザの指Ｆの移動が停止した旨を受けて、フォーカス用の枠Ｗ内の被写体に対するオートフォーカス（ＡＦ）を開始する。
【００７４】
タッチパネル制御部３０は、再び、ステップ＃２０において、フォーカス用の枠Ｗ内で、ユーザの指Ｆが図１６Ｂに示すように被写体中のフォーカスを要求する例えば人物の顔部Ｓに対応するタッチパネル３１上にタッチしたか否かを判定する。この判定の結果、フォーカス用の枠Ｗ内でユーザの指Ｆがタッチパネル３１上にタッチすると、タッチパネル制御部３０は、タッチパネル３１における静電容量値からユーザの指Ｆがタッチパネル３１にタッチしたことを判定し、その旨を撮像制御部４２に送る。撮像制御部４２は、ステップ＃２１において、タッチパネル制御部３０からのユーザの指Ｆがタッチパネル３１にタッチしたことの旨を受けると、当該タッチ検出時に、撮像部１００により静止画の撮像を行う。システムコントローラ２６は、撮像部１００の撮像により取得された静止画をＬＣＤ９の表示画面上に拡大表示する。
【００７５】
このように上記第２の撮像動作によれば、ユーザの指Ｆがタッチパネル３１に対して近接した状態、例えばユーザの指Ｆがタッチパネル３１に対して第２のタッチ近接範囲Ｅ２内に入っている状態に水平方向に移動すると、ユーザの指Ｆの移動に追従してフォーカス用の枠Ｗを移動し、この後、ユーザの指Ｆが一定時間だけ移動を停止すると、フォーカス用の枠Ｗ内の被写体に対するオートフォーカス（ＡＦ）を再開し、タッチパネル３１へのユーザの指Ｆのタッチにより撮像を行う。
【００７６】
これにより、上記第１の撮像動作と同様の効果を奏することができるに加えて、ユーザの指Ｆが移動しても、ユーザの指Ｆの移動に追従してフォーカス用の枠Ｗを移動することができる。例えば、ＬＣＤ９の表示画面上で人物の顔部Ｓが移動したとしても、顔部Ｓの移動を追跡するようにユーザの指Ｆを移動すれば、人物の顔部Ｓの移動に追従してフォーカス用の枠Ｗを移動することができる。この後、フォーカス用の枠Ｗ内の人物の顔部Ｓにオートフォーカスして撮像を行うことができる。フォーカス用の枠Ｗの移動中は、フォーカス用の枠Ｗ内の人物の顔部Ｓに対するオートフォーカス（ＡＦ）を行うことがないので、フォーカスを必要としないときに当該オートフォーカス（ＡＦ）を行うことがなく、無駄な動作を行うことがない。又、主要被写体である人物の顔部Ｓを別の人物の顔部Ｓに変更する場合でも、ユーザの指Ｆを移動して別の人物の顔部Ｓに対応する部分のタッチパネル３１に近接してタッチしようとすれば、当該タッチしようとする画像部分にフォーカス用の枠Ｗを表示することができる。
【００７７】
［第３の撮像動作］
次に、第３の撮像動作について図１７に示す撮像動作フローチャートを援用し、かつ図２１に示す撮像動作中の枠拡大縮小表示フローチャートに従って説明する。図２２は撮像動作タイミング図を示す。同図は、上記図１２と同様に、タッチパネル３１と例えばユーザの指Ｆとの間に生じる静電容量値のセンシングの可能な期間と、ＬＣＤ９の表示面に表示されるフォーカス用の枠Ｗの表示期間と、オートフォーカス（ＡＦ）を実行する期間と、撮影を実行する期間とを示す。なお、上記第２の撮像動作と同一部分には同一符号を付してその詳しい説明は省略する。
【００７８】
第３の撮像動作では、ユーザは指Ｆをタッチパネル３１に対して傾斜する方向から近接する。タッチパネル制御部３０は、図５に示すようにタッチパネル３１に対して接近するユーザの指Ｆの位置を傾斜の角度θに基づいて求め、ユーザの指Ｆの位置に対応するＬＣＤ９の表示画面上にフォーカス用の枠Ｗを表示する。  
枠表示制御部４０は、ユーザの指Ｆがタッチパネル３１に接近する毎に、フォーカス用の枠Ｗのサイズを順次縮小する。枠表示制御部４０は、例えばフォーカス用の枠Ｗのサイズとして複数のサイズ、例えば特大サイズＷＥ、大型サイズＷＬ、中型サイズＷＭ、小型サイズＷＳを含む。枠表示制御部４０は、例えば第２のタッチ近接範囲Ｅ２内を例えば４つのサイズ別範囲に分割し、タッチパネル３１に遠いサイズ別範囲の順にフォーカス用の枠Ｗのサイズを特大サイズＷＥ、大型サイズＷＬ、中型サイズＷＭ、小型サイズＷＳに設定する。
【００７９】
図２３はフォーカス用の枠Ｗのサイズを変更するときの各サイズ別範囲の模式図を示す。第２のタッチ近接範囲Ｅ２内は、複数のサイズ別範囲、例えば第１乃至第４のサイズ別範囲Ｅ１０〜Ｅ１３に区切られている。第１乃至第４のサイズ別範囲Ｅ１０〜Ｅ１３は、それぞれタッチパネル３１とユーザの指Ｆとの間の静電容量値Ｔｈａ、Ｔｈｂ、Ｔｈｃにより区切られる。各静電容量値Ｔｈａ、Ｔｈｂ、Ｔｈｃ大きさの関係は、Ｔｈａ＜Ｔｈｂ＜Ｔｈｃである。第１のサイズ別範囲Ｅ１０は、静電容量値Ｔｈ２−Ｔｈａの間である。第２のサイズ別範囲Ｅ１１は、静電容量値Ｔｈａ−Ｔｈｂの間である。第３のサイズ別範囲Ｅ１２は、静電容量値Ｔｈｂ−Ｔｈｃの間である。第４のサイズ別範囲Ｅ１３は、静電容量値Ｔｈｃ−Ｔｈ３の間である。
【００８０】
従って、枠表示制御部４０は、ユーザの指Ｆがタッチパネル３１に接近して第２のタッチ近接範囲Ｅ２の第１乃至第４のサイズ別範囲Ｅ１０〜Ｅ１３内に順次入ると、特大サイズＷＥ、大型サイズＷＬ、中型サイズＷＭ、小型サイズＷＳの順にフォーカス用の枠Ｗのサイズを変更する。このサイズ変更によりフォーカス用の枠Ｗのサイズは、順次縮小する。  
ユーザの指Ｆがタッチパネル３１から離れ、例えばユーザの指Ｆが第４乃至第１のサイズ別範囲Ｅ１３〜Ｅ１０内に入ると、枠表示制御部４０は、小型サイズＷＳ、中型サイズＷＭ、大型サイズＷＬ、特大サイズＷＥの順にフォーカス用の枠Ｗのサイズを変更する。このサイズ変更によりフォーカス用の枠Ｗのサイズは、順次拡大する。
【００８１】
この第３の撮像動作であれば、撮影モードにおいて、ユーザの指Ｆがタッチパネル３１に対して傾斜する方向で接近しタッチしようとする。  
図２４Ａ、図２４Ｂは、タッチパネル３１にユーザの指Ｆが傾斜する方向でタッチしようとする状態を示すもので、図２４Ａは同状態におけるＬＣＤ９に表示される画像を示し、図２４Ｂは同状態における傾斜する方向でタッチしようとするユーザの指Ｆを模式的に示す。
【００８２】
ユーザの指Ｆが図２４Ｂ、図２５Ｂに示すように傾斜する方向で移動し、第１のタッチ近接範囲Ｅ１を通って第２のタッチ近接範囲Ｅ２内に入ると、タッチパネル制御部３０は、ステップ＃１４において、上記図５に示すようにタッチパネル３１上に投影されるユーザの指Ｆの座標位置を求める。これと共に、タッチパネル制御部３０は、ステップ＃１６において、ユーザの指Ｆが第２のタッチ近接範囲Ｅ２内に入ったことの旨を枠表示制御部４０に送る。枠表示制御部４０は、ユーザの指Ｆが第２のタッチ近接範囲Ｅ２内に存在することの旨を受けると、図２６Ａに示すようにＬＣＤ９にフォーカス用の枠Ｗを表示する。
【００８３】
このときからユーザの指Ｆがタッチパネル３１に接近する毎に、枠表示制御部４０は、図２１に示す枠拡大縮小表示フローチャートに従ってフォーカス用の枠Ｗのサイズを順次縮小する。すなわち、枠表示制御部４０は、図２３に示すようにユーザの指Ｆが第１のタッチ近接範囲Ｅ２内に入ると、ステップ＃５０において、ユーザの指Ｆが第１のサイズ別範囲Ｅ１０内に入っているか否かを判定する。この判定は、タッチパネル３１とユーザの指Ｆとの間の静電容量値がＴｈ２−Ｔｈａの間にあるか否かによって判定される。  
この判定の結果、タッチパネル３１とユーザの指Ｆとの間の静電容量値がＴｈ２−Ｔｈａの間にあれば、枠表示制御部４０は、ステップ＃５１において、特大サイズＷＥのフォーカス用の枠ＷをＬＣＤ９に表示する。
【００８４】
枠表示制御部４０は、ステップ＃５２において、ユーザの指Ｆが第２のサイズ別範囲Ｅ１１内に入っているか否かを判定する。この判定は、タッチパネル３１とユーザの指Ｆとの間の静電容量値がＴｈａ−Ｔｈｂの間にあるか否かによって判定される。  
この判定の結果、タッチパネル３１とユーザの指Ｆとの間の静電容量値がＴｈａ−Ｔｈｂの間にあれば、枠表示制御部４０は、ステップ＃５３において、大型サイズＷＬのフォーカス用の枠ＷをＬＣＤ９に表示する。
【００８５】
枠表示制御部４０は、ステップ＃５４において、ユーザの指Ｆが第３のサイズ別範囲Ｅ１２内に入っているか否かを判定する。この判定は、タッチパネル３１とユーザの指Ｆとの間の静電容量値がＴｈｂ−Ｔｈｃの間にあるか否かによって判定される。  
この判定の結果、タッチパネル３１とユーザの指Ｆとの間の静電容量値がＴｈｂ−Ｔｈｃの間にあれば、枠表示制御部４０は、ステップ＃５５において、中型サイズＷＭのフォーカス用の枠ＷをＬＣＤ９に表示する。
【００８６】
枠表示制御部４０は、ステップ＃５６において、ユーザの指Ｆが第４のサイズ別範囲Ｅ１３内に入っているか否かを判定する。この判定は、タッチパネル３１とユーザの指Ｆとの間の静電容量値がＴｈｃ−Ｔｈ３の間にあるか否かによって判定される。  
この判定の結果、タッチパネル３１とユーザの指Ｆとの間の静電容量値がＴｈｃ−Ｔｈ３の間にあれば、枠表示制御部４０は、ステップ＃５７において、小型サイズＷＳのフォーカス用の枠ＷをＬＣＤ９に表示する。  
従って、枠表示制御部４０は、ユーザの指Ｆがタッチパネル３１に接近して第２のタッチ近接範囲Ｅ２の第１乃至第４のサイズ別範囲Ｅ１０〜Ｅ１３内に順次入ると、特大サイズＷＥ、大型サイズＷＬ、中型サイズＷＭ、小型サイズＷＳの順にフォーカス用の枠Ｗのサイズを縮小するように変更する。
【００８７】
以下、タッチパネル制御部３０は、上記同様に、ステップ＃１７に移る。
【００８８】
このように上記第３の撮像動作によれば、ユーザの指Ｆをタッチパネル３１に対して傾斜する方向から近接する場合、タッチパネル３１に対して接近するユーザの指Ｆの位置を傾斜の角度θに基づいて求め、ユーザの指Ｆの位置に対応するＬＣＤ９の表示画面上にフォーカス用の枠Ｗを表示する。これにより、ユーザの指Ｆをタッチパネル３１に対して傾斜する方向から近接することができることによって、フォーカス用の枠Ｗがユーザ自身の指Ｆにより隠れることが無く、フォーカス用の枠Ｗの表示位置を確実に認識しながら当該フォーカス用の枠Ｗ内にタッチすることができ、オートフォーカス（ＡＦ）を行う部分の画像を確認しながら撮像ができる。  
ユーザの指Ｆがタッチパネル３１に接近する毎に、フォーカス用の枠Ｗのサイズを例えば特大サイズＷＥ、大型サイズＷＬ、中型サイズＷＭ、小型サイズＷＳの順次縮小するので、ユーザの指Ｆがタッチパネル３１に接近するに伴ってユーザの指Ｆがタッチパネル３１にタッチする前に、ユーザの指Ｆのタッチしようとするタッチパネル３１の部位をＬＣＤ９の表示画面上で確認できる。又、ユーザの指Ｆをフォーカス用の枠Ｗ内にタッチするときの操作がし易くなり、ユーザの指Ｆがタッチパネル３１にタッチするタンミングが掴み易くなり、撮像時の操作性を向上できる。
【００８９】
［第４の撮像動作］
第４の撮像動作においてタッチパネル制御部３０は、タッチパネル３１に対するユーザの指Ｆのタッチ位置の移動する速度の変化量ΔＰを判定するために、予め第１の移動速度ΔＰ１と第２の移動速度ΔＰ２とが設定されている。第１と第２の移動速度ΔＰ１、ΔＰ２は、ΔＰ１＞ΔＰ２の関係に設定されている。  
タッチパネル制御部３０は、ユーザの指Ｆのタッチ位置の移動する速度の変化量ΔＰが予め設定された移動速度ΔＰ１よりも速いか、予め設定された移動速度ΔＰ１とΔＰ２との間であるか、又は移動速度ΔＰ２よりも遅いかのいずれであるのかを判定する。  
タッチパネル制御部３０は、タッチパネル３１に対するユーザの指Ｆのタッチ位置の移動する速度の変化量ΔＰを判定するのに限らず、上記図４及び図５に示すようにユーザの指Ｆが第１と第２のタッチ近接範囲Ｅ１、Ｅ２に近接している状態でのユーザの指Ｆの移動の速度の変化量ΔＰを判定してもよい。
【００９０】
枠表示制御部４０は、ユーザの指Ｆのタッチ位置の移動する速度の変化量ΔＰに応じた複数のサイズのフォーカス用の枠Ｗを含む。例えば、フォーカス用の枠Ｗは、ＬＣＤ９の表示画面を９分割したときの１つの分割領域に相当する第１のサイズと、ＬＣＤ９の表示画面を１８分割したときの１つの分割領域に相当する第２のサイズと、ＬＣＤ９の表示画面を２７分割したときの１つの分割領域に相当する第３のサイズとを含む。各フォーカス用の枠Ｗの各サイズの関係は、第１のサイズが最も大きく、次に第２のサイズが大きく、次に第３のサイズが大きい。フォーカス用の枠Ｗのサイズは、第１乃至第３のサイズに限らず、他のサイズを設定したり、サイズの種類を増加する等の変更をしてもよい。
【００９１】
枠表示制御部４０は、ユーザの指Ｆのタッチ位置の移動する速度の変化量ΔＰ、例えばユーザの指Ｆのタッチ位置の移動する速度の変化量ΔＰが予め設定された移動速度ΔＰ１よりも速いとき、第１のサイズのフォーカス用の枠ＷをＬＣＤ９の表示画面上に表示する。  
枠表示制御部４０は、ユーザの指Ｆのタッチ位置の移動する速度の変化量ΔＰが予め設定された移動速度ΔＰ１とΔＰ２との間であるとき、第２のサイズのフォーカス用の枠ＷをＬＣＤ９の表示画面上に表示する。  
枠表示制御部４０は、ユーザの指Ｆのタッチ位置の移動する速度の変化量ΔＰが予め設定された移動速度ΔＰ２よりも遅いとき、第３のサイズのフォーカス用の枠ＷをＬＣＤ９の表示画面上に表示する。
【００９２】
次に、第４の撮像動作について図２８に示す撮像動作フローチャートに従って説明する。
【００９３】
システムコントローラ２６は、ステップ＃６０において、例えばユーザのモードダイヤル６に対する操作によって選択されたモードが撮影モードであるか否かを判定する。この判定の結果、撮影モードであれば、システムコントローラ２６は、ステップ＃６１において、撮影動作を開始し、上記同様に、被写体を撮像するときの一連の撮像動作の制御を行い、ステップ＃６２において、スルー画像をＬＣＤ９にライブビュー表示する。  
タッチパネル制御部３０は、ステップ＃６３において、タッチパネル３１における静電容量値の変化をモニタする。タッチパネル制御部３０は、モニタした静電容量値がタッチ直前範囲Ｔとなり、タッチパネル３１に対してユーザの指Ｆがタッチしたか否かを判定する。これと共に、タッチパネル制御部３０は、ユーザの指Ｆがタッチパネル３１にタッチすると、当該タッチした領域の座標位置を検出し、この座標位置がＬＣＤ９の表示画面上における周辺部であるか否かを判定する。ＬＣＤ９の表示画面上の周辺部は、その座標位置が予め設定されている。  
判定の結果、ユーザの指Ｆのタッチの座標位置がＬＣＤ９の表示画面上における周辺部でなければ、タッチパネル制御部３０は、ステップ＃６４において、ユーザの指Ｆのタッチの座標位置がＬＣＤ９の表示画面上の周辺部以外であるのか否かを判定する。  
この判定の結果、ＬＣＤ９の表示画面上の周辺部以外であれば、フォーカス制御部４１は、ステップ＃６５において、ユーザの指Ｆがタッチした座標位置に対応する画像上の被写体に対してオートフォーカス（ＡＦ）を開始する。  
オートフォーカス（ＡＦ）が終了し、レリーズボタン５が１ｎｄレリーズスイッチから２ｎｄレリーズスイッチのオン状態になると、撮像制御部４２は、ステップ＃６６において、撮像部１００により静止画の撮像を行う。撮像制御部４２は、撮像により取得された主画像データをインタフェース２２ａを介して記録媒体２２に記録する。
【００９４】
上記ステップ＃６４での判定の結果、ユーザの指Ｆのタッチの座標位置がＬＣＤ９の表示画面上の周辺部以外でなければ、撮像制御部４２は、ステップ＃６７において、レリーズボタン５が１ｎｄレリーズスイッチから２ｎｄレリーズスイッチのオン状態になり、撮像動作を行うか否かを判定する。この判定の結果、撮像動作を行うのであれば、撮像制御部４２は、ステップ＃６８において、顔検出部４３に対して顔検出の指示を送る。顔検出部４３は、画像データ中に存在する被写体の顔部位Ｓを検出する。
【００９５】
被写体の顔部位Ｓが検出され、レリーズボタン５が１ｎｄレリーズスイッチから２ｎｄレリーズスイッチのオン状態になると、撮像制御部４２は、ステップ＃６９において、撮像部１００により静止画の撮像を行い、この撮像により取得された主画像データをインタフェース２２ａを介して記録媒体２２に記録する。
【００９６】
一方、上記ステップ＃６３での判定の結果、ユーザの指Ｆによりタッチした座標位置がＬＣＤ９の表示画面上における周辺部でなければ、タッチパネル制御部３０は、ユーザの指Ｆによりタッチした座標位置がＬＣＤ９の表示画面上における周辺部でない旨とユーザの指Ｆのタッチした座標位置とを枠表示制御部４０に送る。  
枠表示制御部４０は、ステップ＃７０において、図２９Ａに示すようにＬＣＤ９の表示画面上における周辺部で、かつユーザの指Ｆのタッチした座標位置に対応する位置にＬＣＤ９にフォーカス用の枠Ｗを表示する。ＬＣＤ９の表示画面上の周辺部にフォーカス用の枠Ｗを表示するのは、例えば被写体として人物を撮像する場合、ＬＣＤ９の表示画面の中央部に人物を配置することが一般的であり、同表示画面の周辺部であれば、フォーカス用の枠Ｗを表示しても、被写体を撮像するときの構図に影響を与えないからである。
【００９７】
ここで、ユーザは、ＬＣＤ９の表示画面上でフォーカス用の枠Ｗにタッチした状態で同表示画面上を移動し、フォーカス用の枠Ｗを被写体の顔部Ｓ上に設定する。  
枠表示制御部４０は、ステップ＃７１において、図２９Ｂに示すようにユーザの指Ｆが移動したか否かを判定する。この判定の結果、ユーザの指Ｆが移動すると、枠表示制御部４０は、ステップ＃７２において、ユーザの指Ｆの移動に追従してフォーカス用の枠ＷをＬＣＤ９の表示画面上で移動する。枠表示制御部４０は、ユーザの指Ｆの移動に追従してフォーカス用の枠Ｗを移動する場合、ユーザの指Ｆの移動する速度及び方向に応じた速度及び方向でフォーカス用の枠Ｗを移動する。  
枠表示制御部４０は、ステップ＃７３において、ユーザの指Ｆの移動が終了したか否かを判定し、終了しなければ、ユーザの指Ｆの移動に追従してのフォーカス用の枠Ｗの表示を続ける。
【００９８】
図３０はフォーカス用の枠Ｗの枠表示移動フローチャートを示す。  
タッチパネル制御部３０は、ステップ＃８０において、ユーザの指Ｆがタッチした座標位置の変化を判定する。すなわち、タッチパネル制御部３０は、タッチパネル３１上における静電容量値の変化の大きい箇所の座標位置を検出し、時間経過と共に移動する静電容量値の変化の大きい箇所の座標位置を順次検出し、各座標位置からユーザの指Ｆがタッチするタッチパネル３１上の座標位置の移動を検出する。枠表示制御部４０は、ユーザの指Ｆがタッチするタッチパネル３１上の移動に追従してフォーカス用の枠Ｗを移動する場合、ユーザの指Ｆのタッチ位置の移動する速度及び方向に応じた速度及び方向でフォーカス用の枠Ｗを移動する。ここで、ユーザの指Ｆのタッチ位置の移動する速度の変化量をΔＰとし、移動する方向をＤとする。
【００９９】
タッチパネル制御部３０は、ステップＳ８１において、ユーザの指Ｆのタッチ位置の移動する速度の変化量ΔＰが予め設定された移動速度ΔＰ１よりも大きいか否か（ΔＰ＞ΔＰ１）を判定する。タッチパネル制御部３０は、ステップＳ８２において、ユーザの指Ｆのタッチ位置の移動する速度の変化量ΔＰが予め設定された移動速度ΔＰ２よりも大きいか否か（ΔＰ＞ΔＰ２）を判定する。
【０１００】
各判定の結果、ユーザの指Ｆのタッチ位置の移動する速度の変化量ΔＰ、例えばユーザの指Ｆのタッチ位置の移動する速度の変化量ΔＰが予め設定された移動速度ΔＰ１よりも速いとき、枠表示制御部４０は、ステップ＃８２において、第１のサイズのフォーカス用の枠ＷをＬＣＤ９の表示画面上に表示する。  
ユーザの指Ｆのタッチ位置の移動する速度の変化量ΔＰが予め設定された移動速度ΔＰ１とΔＰ２との間であるとき、枠表示制御部４０は、ステップ＃８４において、第２のサイズのフォーカス用の枠ＷをＬＣＤ９の表示画面上に表示する。  
ユーザの指Ｆのタッチ位置の移動する速度の変化量ΔＰが予め設定された移動速度ΔＰ２よりも遅いとき、枠表示制御部４０は、ステップ＃８５において、第３のサイズのフォーカス用の枠ＷをＬＣＤ９の表示画面上に表示する。
【０１０１】
図２９Ａ、図２９Ｂ、図２９Ｃに示すようにユーザが指ＦをＬＣＤ９の表示画面上における周辺部にタッチしてフォーカス用の枠Ｗを表示し、フォーカス用の枠Ｗを被写体である人物の顔部Ｓに合わせる場合、ユーザの指Ｆの移動速度は、移動の開始時に速く、顔部Ｓに近づくに従って減速する。ユーザの指Ｆの移動速度の変化量ΔＰは、例えば移動開始の当初でΔＰ＞ΔＰ１、次にΔＰ１＞ΔＰ＞ΔＰ２となり、人物の顔部Ｓに合わせようとするときにΔＰ２＞ΔＰとなる。  
枠表示制御部４０は、先ず、第１のサイズのフォーカス用の枠ＷをＬＣＤ９の表示画面上に表示し、次に、第２のサイズのフォーカス用の枠ＷをＬＣＤ９の表示画面上に表示し、次に、第３のサイズのフォーカス用の枠ＷをＬＣＤ９の表示画面上に表示する。
【０１０２】
枠表示制御部４０は、ステップ＃７３において、ユーザの指Ｆのタッチ位置の移動する速度の変化量ΔＰが無くなり、第３のサイズのフォーカス用の枠Ｗの移動が終了したか否かを判定する。  
この判定の結果、第３のサイズのフォーカス用の枠Ｗの移動が終了すれば、フォーカス制御部４１は、ステップ＃７４において、第３のサイズのフォーカス用の枠Ｗ内に対応する画像上の被写体に対してオートフォーカス（ＡＦ）を開始する。  
オートフォーカス（ＡＦ）が終了すると、撮像制御部４２は、ステップ＃７５において、第３のサイズのフォーカス用の枠Ｗ内に対応する被写体の動画のスルー画像を拡大し、拡大されたスルー画像ＫをＬＣＤ９にライブビュー表示する。撮像制御部４２は、第３のサイズのフォーカス用の枠Ｗ内の拡大されたスルー画像Ｋを、ＬＣＤ９の表示画面中の例えば被写体として人物に重ならない領域に表示する。
【０１０３】
撮像制御部４２は、ステップ＃７６において、レリーズボタン５が１ｎｄレリーズスイッチから２ｎｄレリーズスイッチのオン状態になると、撮像部１００により静止画の撮像を行う。撮像制御部４２は、ステップ＃７７において、撮像により取得された画像データをインタフェース２２ａを介して記録媒体２２に記録する。システムコントローラ２６は、撮像部１００の撮像により取得された静止画をＬＣＤ９の表示画面上に拡大表示する。
【０１０４】
このように上記第４の撮像動作によれば、ユーザの指Ｆのタッチ位置の移動する速度の変化量ΔＰが予め設定された移動速度ΔＰ１よりも速いか、予め設定された移動速度ΔＰ１とΔＰ２との間であるか、又は移動速度ΔＰ２よりも遅いかのいずれであるのかを判定する。この判定の結果、ユーザの指Ｆのタッチ位置の移動する速度の変化量ΔＰが予め設定された移動速度ΔＰ１よりも速いとき、第１のサイズのフォーカス用の枠Ｗが表示される。ユーザの指Ｆのタッチ位置の移動する速度の変化量ΔＰが予め設定された移動速度ΔＰ１とΔＰ２との間であるとき、第２のサイズのフォーカス用の枠Ｗが表示される。ユーザの指Ｆのタッチ位置の移動する速度の変化量ΔＰが予め設定された移動速度ΔＰ２よりも遅いとき、第３のサイズのフォーカス用の枠Ｗが表示される。
【０１０５】
これにより、フォーカス用の枠Ｗの移動の当初、第１のサイズのフォーカス用の枠Ｗを表示することによって被写体である人物の顔部Ｓに対して位置合わせがし易くなる。フォーカス用の枠Ｗが顔部Ｓに近付くに従ってフォーカス用の枠Ｗの移動速度が減少し、第２のサイズから第３のサイズのフォーカス用の枠Ｗの表示に切り替わり、フォーカス用の枠Ｗを顔部Ｓに合わせて正確に位置合わせすることができる。
【符号の説明】
【０１０６】
１００：撮像部、１１：レンズ、１２：絞り、１３：オートフォーカス（ＡＦ）機構、１４：シャッタ、１５：撮像センサ、１６：撮像回路、１７：Ａ／Ｄ変換器、１８：画像処理装置、２３：ファインダ画像生成部、１９：バッファメモリ、２１：圧縮伸長部、２２ａ：インタフェース、２２：記録媒体、２０：第１の液晶制御部、９：液晶ディスプレイ（ＬＣＤ）、２３：画像生成部、３：表示装置、２４：第２の液晶制御部、３０：タッチパネル制御部、３１：タッチパネル、３１ａ：センサ、２６：シンテムコントローラ、２７：操作部、２５：ストロボ制御回路、５：レリーズボタン、６：モードダイヤル、７：十字キー、８：確定キー、２５：ストロボ制御回路、４：ストロボ、４０：枠表示制御部、４１：フォーカス制御部、４２：撮像制御部、４３：顔検出部、４４：一覧表示部、４５：画像再生部。
【図１】
2013089190.tif 000003
【図２】
2013089190.tif 000004
【図３】
2013089190.tif 000005
【図４】
2013089190.tif 000006
【図５】
2013089190.tif 000007
【図６】
2013089190.tif 000008
【図７】
2013089190.tif 000009
【図８】
2013089190.tif 000010
【図９】
2013089190.tif 000011
【図１０】
2013089190.tif 000012
【図１１】
2013089190.tif 000013
【図１２】
2013089190.tif 000014
【図１３】
2013089190.tif 000015
【図１４】
2013089190.tif 000016
【図１５】
2013089190.tif 000017
【図１６】
2013089190.tif 000018
【図１７】
2013089190.tif 000019
【図１８】
2013089190.tif 000020
【図１９】
2013089190.tif 000021
【図２０】
2013089190.tif 000022
【図２１】
2013089190.tif 000023
【図２２】
2013089190.tif 000024
【図２３】
2013089190.tif 000025
【図２４】
2013089190.tif 000026
【図２５】
2013089190.tif 000027
【図２６】
2013089190.tif 000028
【図２７】
2013089190.tif 000029
【図２８】
2013089190.tif 000030
【図２９】
2013089190.tif 000031
【図３０】
2013089190.tif 000032
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
動画像又は静止画像を表示する表示部と、
前記表示部に設けられたタッチパネルと、
前記タッチパネルに対して操作部位が近接すると、前記表示部にフォーカス用の枠を表示すると共に、前記タッチパネルに近接する前記操作部位の移動に追従して前記フォーカス用の枠を移動する枠表示制御部と、
撮影指示を受けて前記フォーカス用の枠内に位置する被写体に対してフォーカスを実行して撮像を行う撮像制御部と、
を具備することを特徴とする撮像装置。
【請求項２】
前記被写体を撮像する撮像部と、
前記タッチパネルに対して操作部位が近接する又は接触したか否かを判定するタッチパネル制御部と、
前記フォーカス用の枠内の前記被写体に対してフォーカスを実行するフォーカス制御部と、
を具備し、
前記表示部は、前記撮像部により撮像された前記動画像又は前記静止画像を表示し、
前記枠表示制御部は、前記操作部位が前記タッチパネルに前記近接する状態で、前記表示部にフォーカス用の枠を表示し、かつ前記操作部位の移動に追従して前記フォーカス用の枠を移動し、
前記撮像制御部は、前記撮像部により撮像を行う、
ことを特徴とする請求項１記載の撮像装置。
【請求項３】
前記表示部は、表示画面を含み、
前記タッチパネルは、前記表示画面上に設けられ、
前記枠表示制御部は、前記表示部の前記表示画面上における前記タッチパネルに対して前記操作部位が近接する部位に対応する座標位置に前記フォーカス用の枠を表示する、
ことを特徴とする請求項１記載の撮像装置。
【請求項４】
前記操作部位が前記タッチパネルに対して傾斜する方向から近接して接触する場合、
前記枠表示制御部は、前記傾斜の角度に基づいて前記操作部位が前記タッチパネルに接触する部位の位置を求め、この部位の位置に対応する前記表示画面上に前記フォーカス用の枠を表示する、
ことを特徴とする請求項３記載の撮像装置。
【請求項５】
前記枠表示制御部は、前記近接の状態にある前記操作部位の移動に追従して前記フォーカス用の枠を前記表示部の表示画面上で移動することを特徴とする請求項１記載の撮像装置。
【請求項６】
前記枠表示制御部は、前記操作部位の移動速度に応じた速度及び移動方向に応じた方向で前記フォーカス用の枠を移動することを特徴とする請求項５記載の撮像装置。
【請求項７】
前記枠表示制御部は、前記操作部位と前記タッチパネルとの距離に応じて前記フォーカス用の枠のサイズを縮小・拡大することを特徴とする請求項６記載の撮像装置。
【請求項８】
前記枠表示制御部は、前記操作部位と前記タッチパネルとの距離が短くなるに従って前記フォーカス用の枠のサイズを縮小することを特徴とする請求項７記載の撮像装置。
【請求項９】
前記フォーカス制御部は、前記枠表示制御部により前記フォーカス用の枠の移動中に前記フォーカスの実行を行わず、前記操作部位が停止すると、前記被写体に対するフォーカスを実行することを特徴とする請求項２記載の撮像装置。
【請求項１０】
前記撮像制御部は、前記操作部位の前記タッチパネルに対する接触を検出すると、当該接触の検出時に前記撮像部により前記被写体の撮像動作を行うことを特徴とする請求項２記載の撮像装置。
【請求項１１】
前記フォーカス用の枠内に前記被写体の顔部位が存在するか否かを検出する顔検出部を含み、
前記枠表示制御部は、前記顔検出部により検出された前記顔部位に前記フォーカス用の枠の表示位置を修正する、
ことを特徴とする請求項１記載の撮像装置。
【請求項１２】
前記タッチパネル制御部は、前記タッチパネルに対して前記操作部位が近接する距離に応じた複数のタッチ近接範囲を予め設定し、前記操作部位が前記複数のタッチ近接範囲のうちいずれの前記タッチ近接範囲に入っているのかを判定し、
前記枠表示制御部は、前記タッチパネル制御部の判定の結果、前記操作部位が前記タッチパネルに対して前記複数のタッチ近接範囲のうち前記タッチパネルから遠い側の前記タッチ近接範囲内に入ると、前記フォーカス用の枠を前記表示部の表示画面上に表示する、ことを特徴とする請求項２記載の撮像装置。
【請求項１３】
前記フォーカス制御部は、前記操作部位が前記タッチパネルに対して前記複数のタッチ近接範囲のうち前記タッチパネルに近い側の前記タッチ近接範囲内に入ると、前記被写体に対するフォーカスを実行することを特徴とする請求項１２記載の撮像装置。
【請求項１４】
前記操作部位が前記タッチパネルに対して垂直方向又は傾斜する方向から近接して接触する場合、
前記タッチパネル制御部は、前記タッチパネルに対する前記操作部位の距離が遠い順に第１と第２のタッチ近接範囲と、タッチ直前範囲とを設定し、
前記枠表示制御部は、前記操作部位が前記第２のタッチ近接範囲内に入ると、前記フォーカス用の枠を前記表示部の表示画面に表示し、
前記フォーカス制御部は、前記操作部位が前記タッチ直前範囲内に入ると、前記被写体に対するフォーカスを実行し、
前記撮像制御部は、前記操作部位が前記タッチパネルに前記接触すると、前記撮像部により撮像動作を行う、
ことを特徴とする請求項１２記載の撮像装置。
【請求項１５】
前記枠表示制御部は、前記操作部位が前記第２のタッチ近接範囲内に入り、前記操作部位が前記タッチパネルに接近する毎に、前記フォーカス用の枠のサイズを順次縮小することを特徴とする請求項１４記載の撮像装置。
【請求項１６】
前記フォーカス制御部は、前記操作部位が前記第２のタッチ近接範囲内に入って前記フォーカスを実行中に、前記操作部位が移動すると、前記フォーカスの実行を中断し、再び、前記操作部位が停止すると、前記被写体に対するフォーカスの実行を再開することを特徴とする請求項１４記載の撮像装置。
【請求項１７】
前記撮像制御部は、前記撮像部の撮像により取得した前記被写体の画像を前記表示部の表示画面上に拡大表示することを特徴とする請求項１４記載の撮像装置。
【請求項１８】
動画像又は静止画像を表示する表示部に設けられたタッチパネルに対して操作部位が近接するのかを検出し、
前記操作部位が前記タッチパネルに対して近接すると、前記表示部にフォーカス用の枠を表示すると共に、前記タッチパネルに近接する前記操作部位の移動に追従して前記フォーカス用の枠を移動し、
撮影指示を受けると、前記フォーカス用の枠内に位置する被写体に対してフォーカスを実行し、前記被写体に対する撮像を行う、
ことを特徴とする撮像装置の撮像方法。
【請求項１９】
前記操作部位が前記タッチパネルに対して傾斜する方向から近接する場合、
前記タッチパネルに対して接近する前記操作部位の位置を前記傾斜に基づいて求め、この操作部位の位置に対応する前記表示部上に前記フォーカス用の枠を表示する、
ことを特徴とする請求項１８記載の撮像装置の撮像方法。
【請求項２０】
前記フォーカス用の枠の移動は、前記近接の状態にある前記操作部位の移動に追従することを特徴とする請求項１８記載の撮像装置の撮像方法。
【請求項２１】
前記フォーカス用の枠は、前記操作部位と前記タッチパネルとの距離に応じて前記フォーカス用の枠のサイズを縮小・拡大することを特徴とする請求項２０記載の撮像装置の撮像方法。
【請求項２２】
前記フォーカス用の枠は、前記操作部位と前記タッチパネルと距離が短くなるに従って前記フォーカス用の枠のサイズを縮小することを特徴とする請求項２１記載の撮像装置の撮像方法。
【請求項２３】
前記フォーカスは、前記フォーカス用の枠の移動中に前記フォーカスを実行せず、前記操作部位が停止すると、前記被写体に対して実行することを特徴とする請求項１８記載の撮像装置の撮像方法。
【請求項２４】
動画像又は静止画像を表示する表示部に設けられたタッチパネルに対して操作部位が近接又は接触したかを検出させる検出機能と、
前記操作部位が前記タッチパネルに対して近接すると、前記表示部にフォーカス用の枠を表示すると共に、前記タッチパネルに近接する前記操作部位の移動に追従して前記フォーカス用の枠を移動させる追従機能と、
撮影指示を受けると、前記フォーカス用の枠内に位置する被写体に対してフォーカスを実行し、前記被写体に対する撮像を行わせる撮像機能と、
を含むコンピュータにより処理可能な追尾プログラムを記憶する記憶媒体。
【手続補正２】
【補正対象書類名】明細書
【補正対象項目名】０００６
【補正方法】変更
【補正の内容】
【０００６】
本発明の撮像装置は、動画像又は静止画像を表示する表示部と、前記表示部に設けられたタッチパネルと、前記タッチパネルに対して操作部位が近接すると、前記表示部にフォーカス用の枠を表示すると共に、前記タッチパネルに近接する前記操作部位の移動に追従して前記フォーカス用の枠を移動する枠表示制御部と、撮影指示を受けて前記フォーカス用の枠内に位置する被写体に対してフォーカスを実行して撮像を行う撮像制御部とを具備する。
【手続補正３】
【補正対象書類名】明細書
【補正対象項目名】０００７
【補正方法】変更
【補正の内容】
【０００７】
本発明の撮像装置の撮像方法は、動画像又は静止画像を表示する表示部に設けられたタッチパネルに対して操作部位が近接するのかを検出し、前記操作部位が前記タッチパネルに対して近接すると、前記表示部にフォーカス用の枠を表示すると共に、前記タッチパネルに近接する前記操作部位の移動に追従して前記フォーカス用の枠を移動し、撮影指示を受けると、前記フォーカス用の枠内に位置する被写体に対してフォーカスを実行し、前記被写体に対する撮像を行う。
【手続補正４】
【補正対象書類名】明細書
【補正対象項目名】０００８
【補正方法】変更
【補正の内容】
【０００８】
本発明のコンピュータにより処理可能な追尾プログラムを記憶する記憶媒体は、動画像又は静止画像を表示する表示部に設けられたタッチパネルに対して操作部位が近接又は接触したかを検出させる検出機能と、前記操作部位が前記タッチパネルに対して近接すると、前記表示部にフォーカス用の枠を表示すると共に、前記タッチパネルに近接する前記操作部位の移動に追従して前記フォーカス用の枠を移動させる追従機能と、撮影指示を受けると、前記フォーカス用の枠内に位置する被写体に対してフォーカスを実行し、前記被写体に対する撮像を行わせる撮像機能とを含む。
【手続補正５】
【補正対象書類名】明細書
【補正対象項目名】００１１
【補正方法】変更
【補正の内容】
【００１１】
以下、本発明の第１の実施の形態について図面を参照して説明する。  
図１は撮像装置の構成図を示す。撮像部１００は、被写体を撮像し、その撮像信号を出力する。撮像部１００は、レンズ１１と、絞り１２と、オートフォーカス（ＡＦ）機構１３と、シャッタ１４と、撮像センサ１５と、撮像回路１６と、Ａ／Ｄ変換部１７とを含む。被写体からの光束は、レンズ１１から絞り１２、シャッタ１４を通って撮像センサ１５に入射する。撮像センサ１５は、入射した光束を電気信号に変換する。撮像回路１６は、撮像センサ１５からの電気信号をアナログ撮像信号として出力する。Ａ／Ｄ変換部１７は、撮像回路１６からのアナログ撮像信号を所定の形式のデジタル撮像信号に変換して画像処理部１８とファインダ画像生成部２３とに送る。ＡＦ機構１３は、レンズ１１を光軸方向に移動し、被写体に対するＡＦを行う。
【手続補正６】
【補正対象書類名】明細書
【補正対象項目名】００１２
【補正方法】変更
【補正の内容】
【００１２】
画像処理部１８は、Ａ／Ｄ変換部１７によって変換されたデジタル撮像信号に対して所定の画像処理、例えば当該画像データによって表されるべき画像の色調補正、階調補正、γ（ガンマ）補正といった調整等を行い、これら調整等を行った画像信号をバッファメモリ１９に一時記憶する。  
圧縮伸長部２１は、バッファメモリ１９に一時記憶される画像信号に対して圧縮・伸長を行い、記録媒体２２に記録するのに適する形式に成形して主画像データを生成し、この主画像データをインタフェース２２ａを介して記録媒体２２に記録する。
【手続補正７】
【補正対象書類名】明細書
【補正対象項目名】００１７
【補正方法】変更
【補正の内容】
【００１７】
タッチパネル３１に対するユーザの指Ｆの近接又はタッチを判定するために、複数のタッチ近接範囲Ｅ１〜Ｅｎとタッチ直前範囲Ｔとが設定される。タッチパネル３１では、例えば図４に示すように第１と第２のタッチ近接範囲Ｅ１、Ｅ２とタッチ直前範囲Ｔとが設定される。第１と第２のタッチ近接範囲Ｅ１、Ｅ２とタッチ直前範囲Ｔとは、タッチパネル３１とユーザの指Ｆとのタッチ間距離ＤをＤ３、Ｄ２、Ｄ１（Ｄ３＞Ｄ２＞Ｄ１）としたときに、各距離Ｄ３−Ｄ２の間を第１のタッチ近接範囲Ｅ１と設定し、各距離Ｄ２−Ｄ３の間を第２のタッチ近接範囲Ｅ２と設定し、距離Ｄ１以内でかつタッチパネル３１にユーザの指Ｆがタッチするまでの間をタッチ直前範囲Ｔと設定する。  
第１と第２のタッチ近接範囲Ｅ１、Ｅ２とタッチ直前範囲Ｔとは、タッチパネル３１とユーザの指Ｆとの間の静電容量値Ｔｈ１、Ｔｈ２、Ｔｈ３により区切られる。各静電容量値Ｔｈ１、Ｔｈ２、Ｔｈ３の大きさの関係は、Ｔｈ１＜Ｔｈ２＜Ｔｈ３である。これにより、第１のタッチ近接範囲Ｅ１は、静電容量値Ｔｈ１−Ｔｈ２の間である。第２のタッチ近接範囲Ｅ２は、静電容量値Ｔｈ２−Ｔｈ３の間である。タッチ直前範囲Ｔは、静電容量値Ｔｈ３を含む僅かな範囲である。
【手続補正８】
【補正対象書類名】明細書
【補正対象項目名】００２６
【補正方法】変更
【補正の内容】
【００２６】
システムコントローラ２６は、被写体を撮像するときの一連の撮像動作を制御する。システムコントローラ２６は、撮像部１００と、画像処理部１８と、バッファメモリ１９と、圧縮伸長部２１と、インタフェース２２ａと、ファインダ画像生成部２３と、タッチパネル制御部３０と、第１の液晶制御部２０と、第２の液晶制御部２４とを制御する。システムコントローラ２６には、操作部２７と、ストロボ制御回路２５とが接続されている。操作部２７は、例えばレリーズボタン５と、モードダイヤル６と、十字キー７と、確定キー８とを有する。操作部２７は、電源ボタンや終了ボタン等を含む。ストロボ制御回路２５は、閃光を発するストロボ４を動作制御する。
【手続補正９】
【補正対象書類名】明細書
【補正対象項目名】００４３
【補正方法】変更
【補正の内容】
【００４３】
撮影モードにおいて、システムコントローラ２６は、撮像部１００と、画像処理部１８と、バッファメモリ１９と、圧縮伸長部２１と、インタフェース２２ａと、ファインダ画像生成部２３と、タッチパネル制御部３０と、第１の液晶制御部２０と、第２の液晶制御部２４とを制御し、被写体を撮像するときの一連の撮像動作を制御する。  
すなわち、被写体からの光束は、レンズ１１から絞り１２、シャッタ１４を通って撮像センサ１５に入射する。このとき、ＡＦ機構１３は、レンズ１１を光軸方向に移動し、被写体に対するＡＦを行う。撮像センサ１５は、入射した光束を電気信号に変換する。撮像センサ１５から出力された電気信号は、撮像回路１６によりアナログ撮像信号として出力され、Ａ／Ｄ変換部１７により所定の形式のデジタル撮像信号に変換されて画像処理部１８とファインダ画像生成部２３とに送られる。  
画像処理部１８は、Ａ／Ｄ変換部１７によって変換されたデジタル撮像信号に対して所定の画像処理、例えば当該画像データによって表されるべき画像の色調補正、階調補正、γ（ガンマ）補正といった調整等を行い、これら調整等を行った画像信号をバッファメモリ１９に一時記憶する。
【手続補正１０】
【補正対象書類名】明細書
【補正対象項目名】００５７
【補正方法】変更
【補正の内容】
【００５７】
タッチパネル制御部３０は、ステップ＃２０において、フォーカス用の枠Ｗ内で、ユーザの指Ｆが図１６Ｂに示すように被写体中のフォーカスを要求する例えば人物の顔部Ｓに対応するタッチパネル３１上にタッチしたか否かを判定する。  
この判定の結果、フォーカス用の枠Ｗ内で、ユーザの指Ｆが図１６Ｂに示すように被写体中のフォーカスを要求する例えば人物の顔部Ｓに対応するタッチパネル３１上にタッチすると、タッチパネル制御部３０は、タッチパネル３１における静電容量値からユーザの指Ｆがタッチパネル３１にタッチしたことを判定し、その旨を撮像制御部４２に送る。  
撮像制御部４２は、ステップ＃２１において、タッチパネル制御部３０からのユーザの指Ｆがタッチパネル３１にタッチしたことの旨を受けると、当該タッチ検出時に、撮像部１００により静止画の撮像を行う。すなわち、被写体からの光束は、レンズ１１から絞り１２、シャッタ１４を通って撮像センサ１５に入射する。撮像センサ１５は、入射した光束を電気信号に変換する。撮像センサ１５から出力された電気信号は、撮像回路１６によりアナログ撮像信号として出力され、Ａ／Ｄ変換器１７により所定の形式のデジタル撮像信号に変換されて画像処理部１８に送られる。画像処理部１８は、Ａ／Ｄ変換部１７によって変換されたデジタル撮像信号に対して所定の画像処理、例えば当該画像データによって表されるべき画像の色調補正、階調補正、γ（ガンマ）補正といった調整等を行い、これら調整等を行った画像信号をバッファメモリ１９に一時記憶する。圧縮伸長部２１は、バッファメモリ１９に一時記憶される画像信号に対して圧縮・伸長を行い、記録媒体２２に記録するのに適する形式に成形して図１６Ａに示すような静止画としての主画像データを生成し、この主画像データをインタフェース２２ａを介して記録媒体２２に記録する。  
この後、システムコントローラ２６は、ステップ＃２２において、撮影モードを終了する。
【手続補正１１】
【補正対象書類名】明細書
【補正対象項目名】０１０６
【補正方法】変更
【補正の内容】
【０１０６】
１００：撮像部、１１：レンズ、１２：絞り、１３：オートフォーカス（ＡＦ）機構、１４：シャッタ、１５：撮像センサ、１６：撮像回路、１７：Ａ／Ｄ変換部、１８：画像処理部、２３：ファインダ画像生成部、１９：バッファメモリ、２１：圧縮伸長部、２２ａ：インタフェース、２２：記録媒体、２０：第１の液晶制御部、９：液晶ディスプレイ（ＬＣＤ）、２３：画像生成部、３：表示装置、２４：第２の液晶制御部、３０：タッチパネル制御部、３１：タッチパネル、３１ａ：センサ、２６：シンテムコントローラ、２７：操作部、２５：ストロボ制御回路、５：レリーズボタン、６：モードダイヤル、７：十字キー、８：確定キー、２５：ストロボ制御回路、４：ストロボ、４０：枠表示制御部、４１：フォーカス制御部、４２：撮像制御部、４３：顔検出部、４４：一覧表示部、４５：画像再生部。
【手続補正１２】
【補正対象書類名】図面
【補正対象項目名】図１
【補正方法】変更
【補正の内容】
【図１】
2013089190.tif 000033
【手続補正１３】
【補正対象書類名】図面
【補正対象項目名】図１７
【補正方法】変更
【補正の内容】
【図１７】
2013089190.tif 000034
【国際調査報告】
2013089190.tif 000035
2013089190.tif 000036
2013089190.tif 000037
2013089190.tif 000038